(57)【要約】本発明は、メッセージ伝送方法、装置及びシステムを提供し、通信技術の応用分野に関し、前記方法は、基地局と遠端ＵＥとの間の中継装置である中継ＵＥのページング伝送情報と、遠端ＵＥのページング伝送情報とを含む２つのセットのページング伝送情報を取得することと、前記２つのセットのページング伝送情報に基づいて、前記中継ＵＥにページングメッセージを送信することと、を含み、前記ページング伝送情報は、ページングメッセージの伝送位置を示す。本願は、ネットワークのシグナリングオーバーヘッドを低減することができる。本願は、移動通信システムにおけるページングメッセージの送信に用いられる。
2020519069.tif 000002
【特許請求の範囲】
【請求項１】
基地局に応用されるメッセージ伝送方法であって、
前記基地局と遠端ＵＥとの間の中継装置である中継ＵＥのページング伝送情報と、遠端ＵＥのページング伝送情報とを含む２つのセットのページング伝送情報を取得することと、
２つのセットのページング伝送情報に基づいて、中継ＵＥにページングメッセージを送信することとを含み、
前記ページング伝送情報は、ページングメッセージの伝送位置を示す
ことを特徴とするメッセージ伝送方法。
【請求項２】
前記２つのセットのページング伝送情報に基づいて、前記中継ＵＥにページングメッセージを送信することは、
前記２つのセットのページング伝送情報から、前記中継ＵＥ及び/又は前記遠端ＵＥを含むターゲットＵＥのページング伝送情報を確定することと、
前記ターゲットＵＥのページング伝送情報に基づいて、前記中継ＵＥにページングメッセージを送信することとを含む
ことを特徴とする請求項１に記載のメッセージ伝送方法。
【請求項３】
前記遠端ＵＥのページング伝送情報は、複数のページング伝送情報を含み、
前記ターゲットＵＥのページング伝送情報に基づいて、前記中継ＵＥにページングメッセージを送信することは、
前記ターゲットＵＥが遠端ＵＥを含む場合、前記遠端ＵＥのページング伝送情報から１つのターゲットページング伝送情報を選択することと、
前記ターゲットページング伝送情報によって示されるサブフレームにおいて、前記中継ＵＥに前記遠端ＵＥのページングメッセージを送信することとを含む
ことを特徴とする請求項２に記載のメッセージ伝送方法。
【請求項４】
前記遠端ＵＥのページング伝送情報から１つのターゲットページング伝送情報を選択することは、
前記中継ＵＥと予め定められた選択方式に基づいて、前記遠端ＵＥのページング伝送情報から１つのターゲットページング伝送情報を選択することを含む
ことを特徴とする請求項３に記載のメッセージ伝送方法。
【請求項５】
前記中継ＵＥと予め定められた選択方式に基づいて、前記遠端ＵＥのページング伝送情報から１つのターゲットページング伝送情報を選択することは、
前記遠端ＵＥのページング伝送情報から１つのページング伝送情報を前記ターゲットページング伝送情報としてランダムに選択することを含む
ことを特徴とする請求項４に記載のメッセージ伝送方法。
【請求項６】
前記中継ＵＥと予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む
ことを特徴とする請求項４に記載のメッセージ伝送方法。
【請求項７】
前記２つのセットのページング伝送情報を取得することは、
予め確定された前記遠端ＵＥのページング伝送情報を取得すること、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む
ことを特徴とする請求項１〜６のいずれか１項に記載のメッセージ伝送方法。
【請求項８】
前記２つのセットのページング伝送情報を取得することは、
前記中継ＵＥが送信した伝送モード変更シグナリングを受信した後に前記２つのセットのページング伝送情報を取得することを含み、
前記伝送モード変更シグナリングは、前記中継ＵＥが遠端ＵＥと接続を確立した後に送信したものである
ことを特徴とする請求項１〜６のいずれか１項に記載のメッセージ伝送方法。
【請求項９】
前記ページング伝送情報は、ページング時刻及びページングフレームの情報を含む
ことを特徴とする請求項１に記載のメッセージ伝送方法。
【請求項１０】
中継ＵＥに応用されるメッセージ伝送方法であって、
基地局と遠端ＵＥとの間の中継装置である前記中継ＵＥのページング伝送情報と、遠端ＵＥのページング伝送情報とを含む２つのセットのページング伝送情報を取得することと、
前記２つのセットのページング伝送情報に基づいて、前記基地局により送信されたページングメッセージを受信することとを含み、
前記ページング伝送情報は、ページングメッセージの伝送位置を示す
ことを特徴とするメッセージ伝送方法。
【請求項１１】
前記２つのセットのページング伝送情報に基づいて、前記基地局により送信されたページングメッセージを受信することは、
前記２つのセットのページング伝送情報によって示される全てのサブフレームをリッスンして、前記基地局により送信されたページングメッセージを受信することを含む
ことを特徴とする請求項１０に記載のメッセージ伝送方法。
【請求項１２】
前記遠端ＵＥのページング伝送情報は、複数のページング伝送情報を含み、
前記２つのセットのページング伝送情報に基づいて、前記基地局により送信されたページングメッセージを受信することは、
前記遠端ＵＥのページング伝送情報から１つのターゲットページング伝送情報を選択することと、
前記ターゲットページング伝送情報によって示されるサブフレームに基づいてリッスンを行って、前記基地局により送信されたページングメッセージを受信することとを含む
ことを特徴とする請求項１０に記載のメッセージ伝送方法。
【請求項１３】
前記遠端ＵＥのページング伝送情報から１つのターゲットページング伝送情報を選択することは、
前記基地局と予め定められた選択方式に基づいて、前記遠端ＵＥのページング伝送情報から１つのターゲットページング伝送情報を選択することを含む
ことを特徴とする請求項１２に記載のメッセージ伝送方法。
【請求項１４】
前記基地局と予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む
ことを特徴とする請求項１３に記載のメッセージ伝送方法。
【請求項１５】
前記２つのセットのページング伝送情報を取得することは、
予め確定された前記遠端ＵＥのページング伝送情報を取得すること、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む
ことを特徴とする請求項１０〜１４のいずれか１項に記載のメッセージ伝送方法。
【請求項１６】
前記２つのセットの前記ページング伝送情報を取得する前に、前記方法は、さらに、
前記中継ＵＥが前記遠端ＵＥと接続を確立した後に、伝送モード変更シグナリングを基地局に送信することを含む
ことを特徴とする請求項１０〜１４のいずれか１項に記載のメッセージ伝送方法。
【請求項１７】
前記ページング伝送情報は、ページング時刻及びページングフレームの情報を含む
ことを特徴とする請求項１０に記載のメッセージ伝送方法。
【請求項１８】
基地局に応用されるメッセージ伝送装置であって、
前記基地局と遠端ＵＥとの間の中継装置である中継ＵＥのページング伝送情報と、遠端ＵＥのページング伝送情報とを含む２つのセットのページング伝送情報を取得するように  構成される取得モジュールと、
前記２つのセットのページング伝送情報に基づいて、前記ページングメッセージを前記中継ＵＥに送信するように構成される送信モジュールとを含み、
前記ページング伝送情報は、前記ページングメッセージの伝送位置を示す
ことを特徴とするメッセージ伝送装置。
【請求項１９】
前記送信モジュールは、
前記２つのセットのページング伝送情報から、前記中継ＵＥ及び/又は前記遠端ＵＥを含むターゲットＵＥのページング伝送情報を確定するように構成される情報取得サブモジュールと、
前記ターゲットＵＥのページング伝送情報に基づいて、前記中継ＵＥにページングメッセージを送信するように構成される送信サブモジュールとを含む
ことを特徴とする請求項１８に記載のメッセージ伝送装置。
【請求項２０】
前記遠端ＵＥのページング伝送情報は、複数のページング伝送情報を含み、
前記送信サブモジュールは、
前記ターゲットＵＥが遠端ＵＥを含む場合に、前記遠端ＵＥのページング伝送情報から１つのターゲットページング伝送情報を選択するように構成される選択サブモジュールと、
前記ターゲットページング伝送情報によって示されるサブフレームにおいて、前記中継ＵＥに前記遠端ＵＥのページングメッセージを送信するように構成されるメッセージ送信  サブモジュールとを含む
ことを特徴とする請求項１９に記載のメッセージ伝送装置。
【請求項２１】
前記選択サブモジュールは、
前記中継ＵＥと予め定められた選択方式に基づいて、前記遠端ＵＥのページング伝送情報から１つのターゲットページング伝送情報を選択するように構成される
ことを特徴とする請求項２０に記載のメッセージ伝送装置。
【請求項２２】
前記選択サブモジュールは、
前記遠端ＵＥのページング伝送情報から１つのページング伝送情報を前記ターゲットページング伝送情報としてランダムに選択するように構成される
ことを特徴とする請求項２１に記載のメッセージ伝送装置。
【請求項２３】
前記選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される
ことを特徴とする請求項２１に記載のメッセージ伝送装置。
【請求項２４】
前記取得モジュールは、
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される
ことを特徴とする請求項１８〜２３のいずれか１項に記載のメッセージ伝送装置。
【請求項２５】
前記取得モジュールは、
前記中継ＵＥが送信した伝送モード変更シグナリングを受信した後に前記２つのセットのページング伝送情報を取得するように構成され、
前記伝送モード変更シグナリングは、前記中継ＵＥが遠端ＵＥと接続を確立した後に送信したものである
ことを特徴とする請求項請求項１８〜２３のいずれか１項に記載のメッセージ伝送装置。
【請求項２６】
前記ページング伝送情報は、ページング時刻及びページングフレームの情報を含む
ことを特徴とする請求項１８に記載のメッセージ伝送装置。
【請求項２７】
中継ＵＥに応用されるメッセージ伝送装置であって、
基地局と遠端ＵＥとの間の中継装置である前記中継ＵＥのページング伝送情報及び遠端ＵＥのページング伝送情報を含む２つのセットのページング伝送情報を取得するように構成される取得モジュールと、
前記２つのセットのページング伝送情報に基づいて前記基地局により送信されたページングメッセージを受信するように構成される受信モジュールとを含み、
前記ページング伝送情報は、前記ページングメッセージの伝送位置を示す
ことを特徴とするメッセージ伝送装置。
【請求項２８】
前記受信モジュールは、
前記２つのセットのページング伝送情報によって示される全てのサブフレームをリッスンして、前記基地局により送信されたページングメッセージを受信するように構成される
ことを特徴とする請求項２７に記載のメッセージ伝送装置。
【請求項２９】
前記遠端ＵＥのページング伝送情報は、複数のページング伝送情報を含み、
前記受信モジュールは
前記遠端ＵＥのページング伝送情報から１つのターゲットページング伝送情報を選択するように構成される選択サブモジュールと、
前記ターゲットページング伝送情報によって示されるサブフレームに基づいてリッスンを行って、前記基地局により送信されたページングメッセージを受信するように構成されるリッスンサブモジュールとを含む
ことを特徴とする請求項２７に記載のメッセージ伝送装置。
【請求項３０】
前記選択サブモジュールは、
前記基地局と予め定められた選択方式に基づいて、前記遠端ＵＥのページング伝送情報から１つのターゲットページング伝送情報を選択するように構成される
ことを特徴とする請求項２９に記載のメッセージ伝送装置。
【請求項３１】
前記選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される
ことを特徴とする請求項３０に記載のメッセージ伝送装置。
【請求項３２】
前記取得モジュールは、
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される
ことを特徴とする請求項２７〜３１のいずれか１項に記載のメッセージ伝送装置。
【請求項３３】
前記２つのセットのページング伝送情報を取得する前に、前記中継ＵＥが前記遠端ＵＥとの接続を確立した後に、伝送モード変更シグナリングを基地局に送信するように構成されるシグナリング伝送モジュールをさらに含む
ことを特徴とする請求項２７〜３１のいずれか１項に記載のメッセージ伝送装置。
【請求項３４】
前記ページング伝送情報は、ページング時刻及びページングフレームの情報を含む
ことを特徴とする請求項２７に記載のメッセージ伝送装置。
【請求項３５】
中継ＵＥと、遠端ＵＥと、基地局とを備え、
前記基地局は、請求項１８〜２６のいずれか１項に記載のメッセージ伝送装置を含み、
前記中継ＵＥは、請求項２７〜３４のいずれか１項に記載のメッセージ伝送装置を含むことを特徴とするメッセージ伝送システム。
【発明の詳細な説明】
【技術分野】
【０００１】
本願は、通信技術の応用分野に関し、特にメッセージ伝送方法、装置及びシステムに関する。
【背景技術】
【０００２】
デバイスツーデバイス(Ｄｅｖｉｃｅ-ｔｏ-Ｄｅｖｉｃｅ：Ｄ２Ｄ)通信技術は、２つの同様のユーザデバイス(Ｕｓｅｒ  Ｅｑｕｉｐｍｅｎｔ：ＵＥ)間で直接通信を行う通信方式である。強化されたデバイスツーデバイス(Ｆｕｒｔｈｅｒ  ｅｎｈａｎｃｅ  Ｄｅｖｉｃｅ-ｔｏ-Ｄｅｖｉｃｅ：ＦｅＤ２Ｄ )通信技術は、Ｄ２Ｄ通信技術に基づく改良技術であり、ＦｅＤ２Ｄ通信技術では、中継（ｒｅｌａｙ）ＵＥは、遠端（ｒｅｍｏｔｅ）ＵＥと基地局との間の中継装置として、遠端ＵＥと基地局との間のデータ転送を行うことができ、また、基地局は、中継ＵＥおよび遠端ＵＥのＵＥコンテキスト(ｃｏｎｔｅｘｔ)を保存する。
【０００３】
ＵＥがアイドル状態にあるが、ネットワーク側がＵＥとのデータ送受信を行う必要がある場合、基地局はページングメッセージ(ｐａｇｉｎｇ)によってＵＥに通知する。従来のＦｅＤ２Ｄ通信技術では、基地局は、中継ＵＥのＩＭＳＩに従って、ページング時刻(Ｐａｇｉｎｇ  Ｏｃｃａｓｉｏｎ：ＰＯ)とページングフレーム(Ｐａｇｉｎｇ  Ｆｒａｍｅ：ＰＦ)の情報を含むページング伝送情報を計算し、このページング伝送情報に基づいて、ページングメッセージを中継ＵＥに送信する。
【０００４】
しかしながら、従来のＦｅＤ２Ｄ通信技術では、基地局は、遠端ＵＥとデータ送受信を行う必要があり、中継ＵＥのＩＭＳＩに従ってページング伝送情報を計算する場合、中継ＵＥと遠端ＵＥとの接続状態をシグナリングによりリアルタイムに取得して、中継ＵＥが当該ページングメッセージを取得した後に遠端ＵＥに伝送できることを保証する必要があり、この場合、多くのシグナリングは、ネットワークのシグナリングオーバーヘッドが大きくなる。
【発明の概要】
【０００５】
本発明は、ネットワークのシグナリングオーバーヘッドが大きくなるという従来の問題点を解決するために、メッセージ伝送方法、装置及びシステムを提供する。この技術案は、以下の通りである。
【０００６】
第１の態様は、基地局に応用されるメッセージ伝送方法を提供し、
前記基地局と遠端ＵＥとの間の中継装置である中継ＵＥのページング伝送情報と、遠端ＵＥのページング伝送情報とを含む２つのセットのページング伝送情報を取得することと、
２つのセットのページング伝送情報に基づいて、中継ＵＥにページングメッセージを送信することとを含み、
前記ページング伝送情報は、ページングメッセージの伝送位置を示す。
【０００７】
任意選択で、前記２つのセットの前記ページング伝送情報に基づいて、前記ページングメッセージを前記中継ＵＥに送信することは、
前記２つのセットのページング伝送情報から、前記中継ＵＥ及び/又は前記遠端ＵＥを含むターゲットＵＥのページング伝送情報を確定することと、
前記ターゲットＵＥのページング伝送情報に基づいて、前記中継ＵＥにページングメッセージを送信することとを含む。
【０００８】
任意選択で、前記遠端ＵＥのページング伝送情報は、複数のページング伝送情報を含み、
前記ターゲットＵＥのページング伝送情報に基づいて、前記中継ＵＥにページングメッセージを送信することは、
前記ターゲットＵＥが遠端ＵＥを含む場合、前記遠端ＵＥのページング伝送情報から１つのターゲットページング伝送情報を選択することと、
前記ターゲットページング伝送情報によって示されるサブフレームにおいて、前記中継ＵＥに前記遠端ＵＥのページングメッセージを送信することとを含む。
【０００９】
任意選択で、前記遠端ＵＥのページング伝送情報から１つのターゲットページング伝送情報を選択することは、
前記中継ＵＥと予め定められた選択方式に基づいて、前記遠端ＵＥのページング伝送情報から１つのターゲットページング伝送情報を選択することを含む。
【００１０】
任意選択で、前記中継ＵＥと予め定められた選択方式に基づいて、前記遠端ＵＥのページング伝送情報から１つのターゲットページング伝送情報を選択することは、
前記遠端ＵＥのページング伝送情報から１つのページング伝送情報を前記ターゲットページング伝送情報としてランダムに選択することを含む。
【００１１】
任意選択で、前記中継ＵＥと予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む。
【００１２】
任意選択で、前記２つのセットの前記ページング伝送情報を取得することは、
予め確定された前記遠端ＵＥのページング伝送情報を取得することと、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む。
【００１３】
任意選択で、前記２つのセットのページング伝送情報を取得することは、
前記中継ＵＥが送信した伝送モード変更シグナリングを受信した後に前記２つのセットのページング伝送情報を取得することを含み、
前記伝送モード変更シグナリングは、前記中継ＵＥが遠端ＵＥと接続を確立した後に送信したものである。
【００１４】
任意選択で、前記ページング伝送情報は、ページング時刻及びページングフレームの情報を含む。
【００１５】
第２の態様は、中継ＵＥに応用されるメッセージ伝送方法を提供し、
基地局と遠端ＵＥとの間の中継装置である前記中継ＵＥのページング伝送情報と、遠端ＵＥのページング伝送情報とを含む２つのセットのページング伝送情報を取得することと、
前記２つのセットのページング伝送情報に基づいて、前記基地局により送信されたページングメッセージを受信することとを含み、
前記ページング伝送情報は、ページングメッセージの伝送位置を示す。
【００１６】
任意選択で、前記２つのセットのページング伝送情報に基づいて、前記基地局により送信されたページングメッセージを受信することは、
前記２つのセットのページング伝送情報によって示される全てのサブフレームをリッスンして、前記基地局により送信されたページングメッセージを受信することを含む。
【００１７】
任意選択で、前記遠端ＵＥのページング伝送情報は、複数のページング伝送情報を含み、
前記２つのセットのページング伝送情報に基づいて、前記基地局により送信されたページングメッセージを受信することは、
前記遠端ＵＥのページング伝送情報から１つのターゲットページング伝送情報を選択することと、
前記ターゲットページング伝送情報によって示されるサブフレームに基づいてリッスンを行って、前記基地局により送信されたページングメッセージを受信することとを含む。
【００１８】
任意選択で、前記遠端ＵＥのページング伝送情報から１つのターゲットページング伝送情報を選択することは、
前記基地局と予め定められた選択方式に基づいて、前記遠端ＵＥのページング伝送情報から１つのターゲットページング伝送情報を選択することを含む。
【００１９】
任意選択で、基地局と予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む。
【００２０】
任意選択で、前記２つのセットのページング伝送情報を取得することは、
予め確定された前記遠端ＵＥのページング伝送情報を取得することと、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む。
【００２１】
任意選択で、前記２つのセットの前記ページング伝送情報を取得する前に、前記方法は、さらに、
前記中継ＵＥが前記遠端ＵＥと接続を確立した後に、伝送モード変更シグナリングを基地局に送信することを含む。
【００２２】
任意選択で、前記ページング伝送情報は、ページング時刻及びページングフレームの情報を含む。
【００２３】
第３の形態は、基地局に応用されるメッセージ伝送装置を提供し、
前記基地局と遠端ＵＥとの間の中継装置である中継ＵＥのページング伝送情報と、遠端ＵＥのページング伝送情報とを含む２つのセットのページング伝送情報を取得するように構成される取得モジュールと、
前記２つのセットのページング伝送情報に基づいて、前記ページングメッセージを前記中継ＵＥに送信するように構成される送信モジュールとを含み、
前記ページング伝送情報は、前記ページングメッセージの伝送位置を示す。
【００２４】
任意選択で、前記送信モジュールは、
前記２つのセットのページング伝送情報から、前記中継ＵＥ及び/又は前記遠端ＵＥを含むターゲットＵＥのページング伝送情報を確定するように構成される情報取得サブモジュールと、
前記ターゲットＵＥのページング伝送情報に基づいて、前記中継ＵＥにページングメッセージを送信するように構成される送信サブモジュールとを含む。
【００２５】
任意選択で、前記遠端ＵＥのページング伝送情報は、複数のページング伝送情報を含み、
前記送信サブモジュールは、
前記ターゲットＵＥが遠端ＵＥを含む場合に、前記遠端ＵＥのページング伝送情報から１つのターゲットページング伝送情報を選択するように構成される選択サブモジュールと、
前記ターゲットページング伝送情報によって示されるサブフレームにおいて、前記中継ＵＥに前記遠端ＵＥのページングメッセージを送信するように構成されるメッセージ送信サブモジュールとを含む。
【００２６】
任意選択で、前記選択サブモジュールは、
前記中継ＵＥと予め定められた選択方式に基づいて、前記遠端ＵＥのページング伝送情報から１つのターゲットページング伝送情報を選択するように構成される。
【００２７】
任意選択で、前記選択サブモジュールは、
前記遠端ＵＥのページング伝送情報から１つのページング伝送情報を前記ターゲットページング伝送情報としてランダムに選択するように構成される。
【００２８】
任意選択で、前記選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される。
【００２９】
任意選択で、取得モジュールは
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【００３０】
任意選択で、取得モジュールは
前記中継ＵＥが送信した伝送モード変更シグナリングを受信した後に前記２つのセットのページング伝送情報を取得するように構成され、
前記伝送モード変更シグナリングは、前記中継ＵＥが遠端ＵＥと接続を確立した後に送信したものである。
【００３１】
任意選択で、前記ページング伝送情報は、ページング時刻及びページングフレームの情報を含む。
【００３２】
第４の態様は、中継ＵＥに応用されるメッセージ伝送装置を提供し、
基地局と遠端ＵＥとの間の中継装置である前記中継ＵＥのページング伝送情報と、遠端ＵＥのページング伝送情報とを含む２つのセットのページング伝送情報を取得するように構成される取得モジュールと、
前記２つのセットのページング伝送情報に基づいて前記基地局により送信されたページングメッセージを受信するように構成される受信モジュールとを含み、
前記ページング伝送情報は、前記ページングメッセージの伝送位置を示す。
【００３３】
任意選択で、前記受信モジュールは
前記２つのセットのページング伝送情報によって示される全てのサブフレームをリッスンして、前記基地局により送信されたページングメッセージを受信するように構成される。
【００３４】
任意選択で、前記遠端ＵＥのページング伝送情報は、複数のページング伝送情報を含み、
前記受信モジュールは、
前記遠端ＵＥのページング伝送情報から１つのターゲットページング伝送情報を選択するように構成される選択サブモジュールと、
前記ターゲットページング伝送情報によって示されるサブフレームに基づいてリッスンして、前記基地局により送信されたページングメッセージを受信するように構成されるリッスンサブモジュールとを含む。
【００３５】
任意選択で、前記選択サブモジュールは、
前記基地局と予め定められた選択方式に基づいて、前記遠端ＵＥのページング伝送情報から１つのターゲットページング伝送情報を選択するように構成される。任意選択で、前記選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される。
【００３６】
任意選択で、取得モジュールは
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【００３７】
任意選択で、前記２つのセットのページング伝送情報を取得する前に、前記中継ＵＥが前記遠端ＵＥとの接続を確立した後に、伝送モード変更シグナリングを基地局に送信するように構成されるシグナリング伝送モジュールを含む。
【００３８】
任意選択で、前記ページング伝送情報は、ページング時刻及びページングフレームの情報を含む。
【００３９】
第５の形態は、メッセージ伝送システムを提供し、中継ＵＥと、遠端ＵＥと、基地局とを備え、前記基地局は、第３の形態のいずれかに記載のメッセージ伝送装置を含み、前記中継ＵＥは、第４の形態のいずれかに記載のメッセージ伝送装置を含む。
【００４０】
本発明の実施例に係るメッセージ伝送方法、装置及びシステムによって、基地局が、２つのセットのページング伝送情報を取得し、それぞれ中継ＵＥのページング伝送情報及び遠端ＵＥのページング伝送情報であり、基地局が中継ＵＥとのデータ送受信を行う必要がある場合に、中継ＵＥのページング伝送情報に基づいて、ページングメッセージを中継ＵＥに送信し、基地局が遠端ＵＥとのデータ送受信を行う必要がある場合に、遠端ＵＥのページング伝送情報に基づいて、ページングメッセージを中継ＵＥに送信し、中継ＵＥと遠端ＵＥとの接続状態を考える必要がなく、また、中継ＵＥは、該２つのセットのページング伝送情報に基づいて、基地局により送信されたページングメッセージのみを受信し、自身が何個の遠端ＵＥに接続しているかを考慮する必要がないため、ネットワークのシグナリングオーバーヘッドを低減させ、中継ＵＥの消費電力も低減する。
【図面の簡単な説明】
【００４１】
本発明の実施例における技術的解決策をより明確に説明するために、以下の図面を参照して簡単に説明し、以下の説明における図面は本発明の実施例の一部にすぎず、当業者であれば、本発明の精神を逸脱しない範囲で、これらの図面から他の図面を取得することができることは明らかである。
【図１】本発明の実施例に係るメッセージ伝送方法の実施環境の模式図である。
【図２−１】本発明の実施例に係るメッセージ伝送方法のフローチャートである。
【図２−２】本発明の実施例に係る２つのセットのページング伝送情報に基づいてページングメッセージを中継ＵＥに送信する方法のフローチャートである。
【図２−３】本発明の実施例に係る通信システムの構造図である。
【図２−４】本発明の実施例に係る通信システムの他の構造図である。
【図３−１】例示的な実施例に係るメッセージ伝送装置を示すブロック図である。
【図３−２】例示的な実施例に係る送信モジュールのブロック図である。
【図４−１】例示的な実施例に係るメッセージ伝送装置を示すブロック図である。
【図４−２】例示的な実施例に係る受信モジュールのブロック図である。
【図４−３】例示的な実施例に係る別のメッセージ伝送装置を示すブロック図である。
【図５】本発明の実施例に係るメッセージ伝送システムのブロック図である。
【図６】本発明の実施例に係るメッセージ伝送装置の構成図である。
【発明を実施するための形態】
【００４２】
以下、本発明の目的、技術案及び利点を明確するために、本発明の実施の形態について、図面を参照して詳細に説明する。
【００４３】
図１は本発明の実施例に係るメッセージ伝送方法の実施環境の概略図である。この実施環境は、基地局１１と、複数のＵＥ１２とを含んでもよい。この複数のＵＥ１２は、基地局１１に直接接続され基地局１１と遠端基地局１２２との間の情報の中継を可能にする中継ＵＥ１２１と、遠端基地局１２２とを含む。
【００４４】
５Ｇシステムにおいて、基地局１１は、次世代基地局(ｇｅｎｅｒａｔｉｏｎＮｏｄｅ  Ｂ：ｇＮＢ)であってもよく、ＬＴＥシステムにおいて、該基地局１１は、進化型基地局(ｅｖｏｌｖｅｄ  Ｎｏｄｅ  Ｂ：ｅＮＢ)であってもよく、ＵＥ１２は、スマートフォン、コンピュータ、マルチメディアプレーヤ、電子リーダー、又はウェアラブルデバイス等であってもよい。基地局１１と中継ＵＥ１２１との間は無線ネットワークで接続が確立され、中継ＵＥ１２１と遠端ＵＥ１２２との間は無線ネットワークで接続が確立されてもよい。一般に、基地局１１と遠端ＵＥ１２２との間には、Ｕｕ直接接続状態及びＰＣ５(ＰＣ５の概念は、通信規格ＴＳ２３.３０３に基づく)中継状態があり、ここで、Ｕｕ直接接続状態は、基地局１１と遠端ＵＥ１２２のＵｕインタフェースが無線リソース制御(Ｒａｄｉｏ  Ｒｅｓｏｕｒｃｅ  Ｃｏｎｔｒｏｌ：ＲＲＣ)接続を確立する状態であり、この時、中継ＵＥ１２１によるデータ中継の必要がなく、ＰＣ５中継状態は、中継ＵＥ１２１を介して基地局１１と遠端ＵＥ１２２とがデータ伝送を行う状態である。例えば、遠端ＵＥ１２２はスマートウォッチであり、中継ＵＥ１２１はスマートフォンであり、スマートウォッチとスマートフォンはブルートゥース接続を確立し、スマートフォンを介してスマートウォッチと基地局との間のデータを伝送する。また、例えば、遠端ＵＥ１２２は第１のスマートフォンであってもよく、中継ＵＥ１２１は第２のスマートフォンであってもよく、第１のスマートフォンが基地局とＲＲＣ接続を確立できる場合でも、第２のスマートフォンを無線ホットスポットとし、第２のスマートフォンを介して第１のスマートフォンと基地局との間のデータを伝送してもよい。なお、実際の応用では、ある基地局１１と遠端ＵＥ１２２との間にＰＣ５中継状態のみがあり、すなわち、遠端１２２は基地局１１とＲＲＣ接続を実現できない場合がある。例えば、あるスマートウォッチは、基地局とのＲＲＣ接続を実現することができない。
【００４５】
通信システムにおいて、ＵＥがアイドル状態にあるが、ネットワーク側がＵＥとのデータ送受信を行う必要である場合、基地局はページングメッセージによってＵＥに通知する。このとき、ＵＥはページングメッセージをリッスンした場合、その後の応答を行うことができる。ネットワーク側は、コアネットワークのように、複数のトラッキングエリア(Ｔｒａｃｋｉｎｇ  Ａｒｅａ：ＴＡＣ)を管理し、各ＴＡＣ内には複数の基地局があり、同一のＴＡＣ下の基地局にページングメッセージを送信し、基地局がページング制御チャネル(Ｐａｇｉｎｇ  Ｃｏｎｔｒｏｌ  Ｃｈａｎｎｅｌ：ＰＣＣＨ)を介してＵＥに送信する。該ページングメッセージには、通常、ＵＥ識別情報(ｉｄｅｎｔｉｆｉｃａｔｉｏｎ：ＩＤ)リストが含まれ、ＵＥは、自分のＵＥ  ＩＤをページングメッセージに含まれるＵＥ  ＩＤとマッチングし、このページングメッセージで自分を呼び出すか否かを判定する。
【００４６】
ページングメッセージにおいて、ページングＩＤが一時移動加入者識別(Ｓ-Ｔｅｍｐｏｒａｒｙ  Ｍｏｂｉｌｅ  Ｓｕｂｓｃｒｉｂｅｒ  Ｉｄｅｎｔｉｔｙ：Ｓ-ＴＭＳＩ)である場合、今回のページングが通常のサービスのページングであることを示し、ここで、Ｓはシステムアーキテクチャ進化(Ｓｙｓｔｅｍ  Ａｒｃｈｉｔｅｃｔｕｒｅ  Ｅｖｏｌｕｔｉｏｎ：ＳＡＥ)の略称である。ページングＩＤが国際移動加入者識別符号(Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ)である場合、今回のページングが１回の異常ページングであることを示し、ネットワーク側のエラー回復に使用され、この場合、ＵＥはアタッチ（Ａｔｔａｃｈ）プロセスを再度実行する必要がある。なお、上述したＳ-ＴＭＳＩは、無線シグナリングへのより効率的な処理(ページング及びサービス要求)を保証するために、グローバル一意一時ＵＥ識別子(Ｇｌｏｂａｌｌｙ  Ｕｎｉｑｕｅ  Ｔｅｍｐｏｒａｒｙ  ＵＥ  Ｉｄｅｎｔｉｔｙ：ＧＵＴＩ)の短縮フォーマットである。ＩＭＳＩは、ＵＥを区別するためのものであり、通常、その長さは１５ビットを超えず、０〜９の数字配列を用いて得られる。ＩＭＳＩには、遠端ＵＥが属する国の番号であり、通常３桁の数字を占め、中国のＭＣＣが４６０と規定されている移動国番号(Ｍｏｂｉｌｅ  Ｃｏｕｎｔｒｙ  Ｃｏｄｅ：ＭＣＣ)と、中国の遠端ＵＥが在圏する移動通信網、例えば、ＭＮＣが００である移動通信網を識別するための２桁又は３桁の数字からなる移動網番号(Ｍｏｂｉｌｅ  Ｎｅｔｗｏｒｋ  Ｃｏｄｅ：ＭＮＣ)と、ある移動通信網においてモバイル加入者を識別するための移動ユーザー識別番号(Ｍｏｂｉｌｅ  Ｓｕｂｓｃｒｉｂｅｒ  Ｉｄｅｎｔｉｆｉｃａｔｉｏｎ  Ｎｕｍｂｅｒ：ＭＳＩＮ)とが含まれている。
【００４７】
従来の通信システムでは、非連続受信(Ｄｉｓｃｏｎｔｉｎｕｏｕｓ  Ｒｅｃｅｐｔｉｏｎ：ＤＲＸ)技術が提案され、ＤＲＸ技術において、１つのＤＲＸ周期を定義され、ＵＥは、１つのＤＲＸ周期内で、対応するページングフレーム(すなわちＰＦ)上のページング時刻(ＰＯ)のみに、物理ダウンリンク制御チャネル(Ｐｈｙｓｉｃａｌ  Ｄｏｗｎｌｉｎｋ  Ｃｏｎｔｒｏｌ  Ｃｈａｎｎｅｌ：ＰＤＣＣＨ )でページングメッセージ−無線ネットワーク一時的なアイデンティティ(Ｐａｇｉｎｇ−Ｒａｄｉｏ  Ｎｅｔｗｏｒｋ  Ｔｅｍｐｏｒｙ  Ｉｄｅｎｔｉｔｙ：Ｐ−ＲＮＴＩ)が搬送されているかどうかをリッスンする。さらに、対応する物理ダウンリンク共有チャネル(Ｐｈｙｓｉｃａｌ  Ｄｏｗｎｌｉｎｋ  Ｓｈａｒｅｄ  Ｃｈａｎｎｅｌ：ＰＤＳＣＨ)上でページングメッセージが搬送されているかどうかを判断することができる。Ｐ−ＲＮＴＩがＰＤＣＣＨで搬送される場合、ＰＤＳＣＨのデータは、ＰＤＣＣＨで示されるＰＤＳＣＨのパラメータに従って受信される。ＵＥがＰＤＣＣＨでＰ−ＲＮＴＩを解析しない場合、ＰＤＳＣＨ物理チャネルを再受信する必要がなく、ＤＲＸ周期に従って休止に入ることができる。このメカニズムを用いて、１つのＤＲＸ周期内で、ＵＥは、ＰＯが出現する時間位置のみでＰＤＣＣＨを受信し、その後、必要に応じてＰＤＳＣＨを受信すればよい。他の時間にはスリープ状態にすることで省電力化を図る。本発明の実施例は、このシーンに応用される。
【００４８】
本発明の実施例に係るメッセージ伝送方法は、上述したページングメッセージ伝送のシーンに適用され、具体的には、図２-１に示すように、該メッセージ伝送方法は、ステップ２０１〜ステップ２０５を含む。
【００４９】
ステップ２０１において、中継ＵＥは、中継ＵＥが遠端ＵＥとの接続を確立した後に、伝送モード変更シグナリングを基地局に送信する。
【００５０】
いくつかのシーンでは、遠端ＵＥは、基地局とＲＲＣ接続を直接確立してもよいし、中継ＵＥを介して基地局と接続を確立してもよく、例えば、遠端ＵＥがスマートフォンまたはラップトップであるシーンにおいて、遠端ＵＥの接続状態がＵｕ直接接続状態からＰＣ５中継状態に切り替わると、その伝送モードは変更され、すなわち、直接伝送から間接伝送に変化し、別のシーンにおいて、遠端ＵＥは、基地局とＲＲＣ接続を確立できないが、中継ＵＥを介して基地局と接続を確立することができ、例えば、遠端ＵＥがスマートウォッチまたはスマートハンドリングであるシーンにおいて、遠端ＵＥの接続状態が中継ＵＥと接続しない状態から中継接続に切り替わると、その伝送モードは変更され、すなわち、伝送不可能から伝送可能になる。
【００５１】
中継ＵＥが遠端ＵＥと接続を確立した後、基地局に伝送モード変更シグナリングを送信してもよく、該伝送モード変更シグナリングの送信タイミングは複数であってもよく、例えば、中継ＵＥは、遠端ＵＥとの接続確立が完了した後の所定時間(例えば２ｍｓ)内に、能動的に該伝送モード変更シグナリングを送信してもよく、又は、遠端ＵＥとの接続確立が完了した後の所定時間内に、遠端ＵＥのトリガで該伝送モード変更シグナリングを受動的に送信してもよく、また、例えば、中継ＵＥは、遠端ＵＥとの接続確立が完了した後、遠端ＵＥがデータ伝送を行う必要があると確定した場合に、当該伝送モード変更シグナリングを送信してもよい。遠端ＵＥがデータ伝送を行う必要がある場合、中継ＵＥにデータ伝送トリガコマンドを先に送信し、中継ＵＥは、該データ伝送トリガコマンドに従って伝送モード変更シグナリングを基地局に送信してもよい。一方、遠端ＵＥがデータ伝送を行う必要がある場合、中継ＵＥに伝送すべきデータを直接送信し、中継ＵＥは、そのデータに応じて伝送モード変更シグナリングを基地局に送信するか、または、伝送モード変更シグナリングを基地局に直接送信し、そのシグナリングには伝送すべきデータが含まれる。
【００５２】
ステップ２０２において、基地局は、中継ＵＥが送信する伝送モード変更シグナリングを受信した後、２つのセットのページング伝送情報を取得する。
【００５３】
基地局は、中継ＵＥが送信する伝送モード変更シグナリングを受信した後、中継ＵＥが送信した伝送モード変更シグナリングに基づいて、中継ＵＥが遠端ＵＥに接続していることを確定してもよく、通常、このモード伝送変更シグナリングには、遠端ＵＥの識別子(例えば、遠端ＵＥのＩＭＳＩ)が含まれ、基地局は、これに基づいて、中継ＵＥがどの遠端ＵＥに具体的に接続するかを確定してもよい。これに対応し、基地局は、その後にページングメッセージを送信する際に使用するための２つのセットのページング伝送情報を取得することができる。
【００５４】
本発明の実施例において、２つのセットのページング伝送情報は、中継ＵＥのページング伝送情報と、遠端ＵＥのページング伝送情報とを含み、ページング伝送情報は、ページングメッセージの伝送位置を示すものであり、伝送位置は、時間位置であり、ページング伝送情報は、ＰＦ及びＰＯの情報を含むことができる。ここで、ＰＦは、ページングメッセージを送信する無線フレームを示すものであり、その単位が１０ｍｓ(ミリ秒)であり、少なくとも１つのページング時刻を含むことができ、ＰＯは、ページングメッセージを送信するサブフレームを示し、その単位が１ｍｓである。
【００５５】
ここで、基地局が２つのセットのページング伝送情報を取得する方法は、主に以下の２つ態様を含む。
【００５６】
第１の態様では、基地局は、中継ＵＥのページング伝送情報を取得する。
【００５７】
基地局が中継ＵＥのページング伝送情報を取得する方法は、従来の中継ＵＥのページング伝送情報の取得方法、例えば、通信規格ＴＳ３６.３０４の章７.１に規定された内容を参照して、当該中継ＵＥのＩＭＳＩに基づいて中継ＵＥのページング伝送情報を算出してもよいし、以下の第２の態様において遠端ＵＥのページング伝送情報を取得する方法を参照してもよく、本発明の実施例はこれに関する説明を省略する。
【００５８】
第２の態様では、基地局は、遠端ＵＥのページング伝送情報を取得する。
【００５９】
基地局が遠端ＵＥのページング伝送情報を取得することは、様々な可能な方式があり、本発明の実施例は、以下の３つの実現方式を例に説明する。
【００６０】
第１の実現方式では、基地局は、予め定められた遠端ＵＥのページング伝送情報を取得する。
【００６１】
任意選択で、ネットワーク側の管理装置が、予め、遠端ＵＥのページング伝送情報を設定して基地局に送信するようにしてもよく、例えば、基地局があるシステムがＬＴＥシステムである場合、上記管理装置がコアネットワークにおけるモバイル管理ノード(Ｍｏｂｉｌｉｔｙ  Ｍａｎａｇｅｍｅｎｔ  Ｅｎｔｉｔｙ：ＭＭＥ)である。具体的には、ネットワーク側は、上位レイヤシグナリング又は別途に構成されたシグナリングを介して、遠端ＵＥのページング伝送情報を基地局に送信し、基地局は、該遠端ＵＥのページング伝送情報を保存し、使用が必要な場合に抽出する。基地局が予め定められた遠端ＵＥのページング伝送情報を取得する手順は、すなわち、当該遠端ＵＥのページング伝送情報を抽出する手順である。なお、上記遠端ＵＥのページング伝送情報は、プロトコルに応じて通信システムのネットワーク構成の際に基地局に配置されてもよい。
【００６２】
任意選択で、基地局は、遠端ＵＥのページング伝送情報を予め計算し、ページング伝送情報を保存し、使用が必要なときに抽出することができる。基地局が予め定められた遠端ＵＥのページング伝送情報を取得する手順は、すなわち、当該遠端ＵＥのページング伝送情報を抽出する手順である。
【００６３】
第２の実現方式では、基地局は、予め構成された構成パラメータに従って、遠端ＵＥのページング伝送情報を算出する。
【００６４】
任意選択で、ネットワーク側の管理装置は、この構成パラメータを予め設定して基地局に送信してもよく、例えば、基地局があるシステムがＬＴＥシステムである場合には、上記管理装置はＭＭＥとなる。具体的には、ネットワーク側が、上位レイヤシグナリング又は別途に構成されたシグナリングを介して、当該構成パラメータを基地局に送信し、基地局は、当該構成パラメータを保存し、遠端ＵＥのページング伝送情報を計算する必要があるときに抽出することができる。なお、構成パラメータは、ページング周期(Ｐａｇｉｎｇ  Ｃｙｃｌｅ)及びページング周期の数(nＢ)を含んでもよい。なお、上記構成パラメータは、通信システムのネットワーク構成の際に基地局に配置されてもよい。
【００６５】
本発明の実施例において、遠端ＵＥのページング伝送情報は、複数のページング伝送情報を含み得る。任意選択で、基地局は、予め構成された構成パラメータ及び設定可能なＩＭＳＩのフルセットを取得し、構成パラメータ及び設定可能なＩＭＳＩのフルセットから、ページング周期及びページング周期の数を含む上記複数のページング伝送情報をそれぞれ算出することができる。
【００６６】
前記複数のページング伝送情報は、以下のページング伝送情報の計算式を満たす。
【００６７】
ＳＦＮ ｍｏｄ Ｔ ＝ （ Ｔ ｄｉｖ Ｎ ） ＊ （ ＵＥ ＿ ＩＤ ｍｏｄ Ｎ ）
ｉ ＿ ｓ ＝ ｆｌｏｏｒ （ ＵＥ ＿ ＩＤ / Ｎ ） ｍｏｄ Ｎｓ
ここで、ＳＦＮ ｍｏｄ Ｔはページング時刻、Ｔはページング周期の時間長、Ｎは１つのページング周期における無線フレームの数を示し、「ｄｉｖ」は除算を示すならば、Ｔ ｄｉｖ ＮはＴ / Ｎを示し、ＵＥ＿ＩＤは、配置されたＩＭＳＩについての１０２４の余剰を示し、「ｍｏｄ」は余剰演算を示すならば、ＵＥ＿ＩＤ ｍｏｄ ＮはＵＥ＿ＩＤをＮで除算した余りを示す。ｉ＿sはページングフレーム、Ｎｓは１つの無線フレームにおいてページングメッセージを伝送するサブフレームの数である。
【００６８】
ここで、設定可能なＩＭＳＩのフルセットは、当該ＵＥが設定可能な全てのＩＭＳＩを指し、例えば、当該ＵＥが割り当て可能なＩＭＳＩが１０２４個、それぞれ１０００００００-１０００１０２３である場合、当該設定可能なＩＭＳＩのフルセットは１０００００００-１０００１０２３であり、なお、上記ＩＭＳＩは、単に例示的な例であり、実際のＩＭＳＩは、通常、１１〜１５ケタの十進数からなる。任意選択で、ページング周期は、最大ページング周期である２５６無線フレーム(ｒａｄｉｏ  ｆｒａｍｅ)の期間であり、ページング周期の数は、ページング周期の数の最小値、即ちページング周期の時間の１/１６である。前記ページング伝送情報の式に前記１０２４個のＩＭＳＩ、ページング周期及びページング周期の数を代入して１０２４個のＰＯ及びＰＦを得ることができ、このアルゴリズムを用いて複数のページング伝送情報を算出するが、ページング伝送情報の時間間隔が長く、即ちＰＯが出現する頻度が低いため、中継ＵＥがページングメッセージをリッスンするエネルギー消費を効果的に低減することができる。
【００６９】
第３の実現方式は、基地局が、予め構成されたＩＭＳＩに基づいて、遠端ＵＥのページング伝送情報を算出する。
【００７０】
任意選択で、ネットワーク側の管理装置が、ＩＭＳＩを予め設定して基地局に送信するようにしてもよく、例えば、基地局があるシステムがＬＴＥシステムである場合には、上記管理装置はＭＭＥとなる。具体的には、ネットワーク側が、高レイヤシグナリング又は別途に構成されたシグナリングを介して、このＩＭＳＩを基地局に送信し、基地局が、このＩＭＳＩを保存し、遠端ＵＥのページング伝送情報を計算する必要があるときに抽出することができる。なお、上記ＩＭＳＩは、通信システムのネットワーク構成の際に基地局に配置されてもよい。
【００７１】
本発明の実施例において、予め構成されたＩＭＳＩは、通常、固定されたものであり、これは、中継ＵＥの個々のＩＭＳＩ及び遠端ＵＥの個々のＩＭＳＩとは独立しており、即ち、ＩＭＳＩの取得は、ある中継ＵＥのＩＭＳＩ及びある遠端ＵＥのＩＭＳＩに対するものではない。予め構成されたＩＭＳＩは、ネットワーク側が、配置可能なＩＭＳＩのフルセットからランダムに選択した少なくとも１つのＩＭＳＩであってもよいし、予め構成されたルールに従って、配置可能なＩＭＳＩのフルセットから選択した少なくとも１つのＩＭＳＩであってもよいし、ネットワーク側が、先に、配置可能なＩＭＳＩのフルセットから選択した複数のＩＭＳＩの候補であって、基地局がランダムに選択したり、又は、事前設定ルールに従って、当該複数のＩＭＳＩの候補から選択した少なくとも１つのＩＭＳＩであってもよい。
【００７２】
以上のような複数のページング伝送情報の算出処理は、第２の実現方式のように、予め構成されたＩＭＳＩを上記ページング伝送情報の式に代入してＰＯ及びＰＦを求めることにより実現できる。従って、本発明の実施例についての詳細な説明は省略する。
【００７３】
ステップ２０３において、基地局は、２つのセットのページング伝送情報に基づいて、中継ＵＥにページングメッセージを送信する。
【００７４】
本発明の実施例では、図２-２に示すように、２つのセットのページング伝送情報に基づいて、中継ＵＥにページングメッセージを送信することは、ステップ２０３１〜ステップ２０３２を含む。
【００７５】
ステップ２０３１において、基地局は、２つのセットのページング伝送情報から、ターゲットＵＥのページング伝送情報を確定し、当該ターゲットＵＥは、中継ＵＥ及び/又は遠端ＵＥを含む。
【００７６】
実際の応用では、基地局は、具体的なシーンに応じてターゲットＵＥを確定する必要があり、さらに、ページング伝送情報を確定し、確定されたページング伝送情報に基づいてページングメッセージの送信を行う。例えば、ネットワーク側が中継ＵＥとデータ送受信を行う必要がある場合、中継ＵＥをターゲットＵＥとして確定し、その中継ＵＥのページング伝送情報をターゲットＵＥのページング伝送情報として確定する。ネットワーク側が、遠端ＵＥとのデータ送受信を行う必要がある場合、遠端ＵＥをターゲットＵＥとして確定し、その遠端ＵＥのページング伝送情報をターゲットＵＥのページング伝送情報として確定する。ネットワーク側が、中継ＵＥ及び遠端ＵＥの両方とデータ送受信を行う必要がある場合、中継ＵＥ及び遠端ＵＥの両方をターゲットＵＥとして確定し、中継ＵＥのページング伝送情報及び遠端ＵＥのページング伝送情報をターゲットＵＥのページング伝送情報として確定する。それに対応し、ページングメッセージには、ＵＥ  ＩＤリストが含まれてもよく、このＵＥ  ＩＤリストには、上記ターゲットＵＥのＩＤが含まれてもよい。
【００７７】
ステップ２０３２において、基地局は、ターゲットＵＥのページング伝送情報に基づいて、ページングメッセージを中継ＵＥに送信する。
【００７８】
ターゲットＵＥが中継ＵＥを含む場合、基地局は、中継ＵＥのページング伝送情報基づいて、ページングメッセージを中継ＵＥに送信することができ、例えば、ページング伝送情報がページングメッセージの伝送位置であるサブフレームの位置を示し、基地局は、中継ＵＥのページング伝送情報によって示されるサブフレームにおいて、ページングメッセージを中継ＵＥに送信する。本発明の実施例についての詳細な説明は省略する。
【００７９】
基地局は、ターゲットＵＥが遠端ＵＥを含む場合、遠端ＵＥのページング伝送情報に基づいて、ページングメッセージを中継ＵＥに送信し、遠端ＵＥのページング伝送情報が１つのページング伝送情報を含む場合、すなわち、ページング伝送情報によって示されるサブフレームにおいて、ページングメッセージを中継ＵＥに送信する。
【００８０】
前記遠端ＵＥのページング伝送情報が複数のページング伝送情報を含む場合に、前記ターゲットＵＥのページング伝送情報に基づいて前記中継ＵＥにページングメッセージを送信することは、以下のステップを含む。
【００８１】
ステップｘにおいて、基地局は、遠端ＵＥのページング伝送情報から１つのターゲットページング伝送情報を選択する。
【００８２】
例として、基地局は、中継ＵＥと予め定められた選択方式に基づいて、遠端ＵＥのページング伝送情報から１つのターゲットページング伝送情報を選択することができる。具体的な手順は以下の通りである。
【００８３】
第１の方式では、基地局は、遠端ＵＥのページング伝送情報から、１つのページング伝送情報をターゲットページング伝送情報としてランダムに選択する。
【００８４】
第２の方式では、基地局は、遠端ＵＥのＩＭＳＩから、参照ページング伝送情報を算出し、遠端ＵＥのページング伝送情報から、前記参照ページング伝送情報に最も近い１つの前記ページング伝送情報を前記ターゲットページング伝送情報として選択する。
【００８５】
前記遠端ＵＥのＩＭＳＩは、特定のＩＭＳＩであり、基地局がデータ送受信を行う必要があるターゲットＵＥのＩＭＳＩである。当該参照ページング伝送情報のアルゴリズムは、上述のステップ２０２の第２の態様の第２の実現方式によって提供されるページング伝送情報の計算式を参照してもよい。
【００８６】
任意選択で、遠端ＵＥのページング伝送情報の各ページング伝送情報を参照ページング伝送情報と順次に比較して、参照ページング伝送情報に最も近い１つのページング伝送情報をターゲットページング伝送情報として選択して確定する。１つの参照ページング伝送情報はＰＯ及びＰＦの情報を含み得るので、通常は、まず、遠端ＵＥのページング伝送情報の各ＰＦを参照ページング伝送情報のＰＦと比較して最も近い少なくとも１つのＰＦを確定し、更に、該少なくとも１つのＰＦが位置するページング伝送情報内の各ＰＯを参照ページング伝送情報のＰＯと比較して最も近いＰＯを確定し、該最も近いＰＯが位置するページング伝送情報をターゲットページング伝送情報として確定する。
【００８７】
例えば、参照ページング伝送情報が、表１に示されるように、そのＰＦが１、すなわち、第１の無線フレームであり、そのＰＯが２、すなわち、第２のサブフレームであると仮定する。遠端ＵＥのページング伝送情報は、第１のページング伝送情報、第２のページング伝送情報及び第３のページング伝送情報を含み、その具体的な情報内容は、表１を参照して、まず、第１〜第３のページング伝送情報のＰＦを参照ページング伝送情報のＰＦと比較し、第１のページング伝送情報及び第２のページング伝送情報のＰＦと参照ページング伝送情報のＰＦとが等しいことを確定し、即ち、最も近く、更に、第１のページング伝送情報及び第２のページング伝送情報のＰＯを参照ページング伝送情報のＰＯと比較し、第１のページング伝送情報のＰＯと参照ページング伝送情報のＰＯとが最も近いことを確定し、そして、ターゲットページング伝送情報は、第１のページング伝送情報であり、そのＰＦが２であり、ＰＯが２であり、即ち、ターゲットページング伝送情報によって示される位置は、第２の無線フレームの第２のサブフレームである。
【表１】
2020519069.tif 000003
なお、上述したページング伝送情報の確定方式は、例示的に説明したものであり、実際の応用では、例えば、基地局が、更に、カスタムルールに従ってターゲットページング伝送情報を確定し、該カスタムルールを中継ＵＥに通知し、或いは、基地局と中継ＵＥが、参照ページング伝送情報を約束し、遠端ＵＥのページング伝送情報から、参照ページング伝送情報に最も近い１つのページング伝送情報を、ターゲットページング伝送情報として選択するの等の様々な方法が考えられる。本発明の実施例についての詳細な説明は省略する。
【００８８】
ステップｙにおいて、ターゲットページング伝送情報によって示されるサブフレームにおいて、遠端ＵＥのページングメッセージを中継ＵＥに送信する。
【００８９】
例えば、ターゲットページング伝送情報においてＰＦが２であり、ＰＯが２である場合、第２の無線フレームの第２サブフレームにおいて、当該遠端ＵＥのページングメッセージを送信する。
【００９０】
ステップ２０４において、中継ＵＥは、２つのセットのページング伝送情報を取得する。
【００９１】
前記２つのセットのページング伝送情報は、中継ＵＥのページング伝送情報と、前記遠端ＵＥのページング伝送情報とを含み、当該ページング伝送情報は、ページングメッセージの伝送位置を示す。この２つのセットのページング伝送情報は、上記ステップ２０２における２つのセットのページング伝送情報と同じである。
【００９２】
本発明の実施例において、２つのセットのページング伝送情報は、中継ＵＥのページング伝送情報と、遠端ＵＥのページング伝送情報とを含み、当該ページング伝送情報は、ページングメッセージの伝送位置を示し、当該ページング伝送情報は、ＰＦ及びＰＯの情報を含み得る。ここで、ＰＦは、ページングメッセージを送信する無線フレームを指示するものであり、このＰＦは、少なくとも１つのページング時刻を含み、その単位は、１０ｍｓであり、ＰＯは、ページングメッセージを送信するサブフレームを指示するものであり、その単位は、１ｍｓである。
【００９３】
ここで、中継ＵＥが２つのセットのページング伝送情報を取得する方法は、主に以下の２つ形態を含む。
【００９４】
第１の態様では、中継ＵＥは、中継ＵＥのページング伝送情報を取得する。
【００９５】
中継ＵＥが自身のページング伝送情報を取得する方法は、従来の中継ＵＥのページング伝送情報の取得方法、例えば、通信規格ＴＳ３６.３０４の章７.１に規定された内容を参照して、当該中継ＵＥのＩＭＳＩに基づいて中継ＵＥのページング伝送情報を算出してもよいし、以下の第２の態様において遠端ＵＥのページング伝送情報を取得する方法を参照してもよく、本発明の実施例はこれに関する説明を省略する。
【００９６】
第２の態様では、中継ＵＥは、遠端ＵＥのページング伝送情報を取得する。
【００９７】
中継ＵＥが遠端ＵＥのページング伝送情報を取得することは、様々な可能な方式があり、本発明の実施例は、以下の３つの実現方式を例として説明する。
【００９８】
第１の実現方式では、中継ＵＥは、予め定められた遠端ＵＥのページング伝送情報を取得する。
【００９９】
任意選択で、基地局は、予め、遠端ＵＥのページング伝送情報を設定し、中継ＵＥに送信することができ、具体的には、基地局は、システム情報、無線リソース制御シグナリング等の上位レイヤシグナリング又は物理レイヤシグナリング等を介して、遠端ＵＥのページング伝送情報を中継ＵＥに送信し、例えば、中継ＵＥは、基地局により送信されたシステム情報ブロック(Ｓｙｓｔｅｍ  Ｉｎｆｏｒｍａｔｉｏｎ  Ｂｌｏｃｋｓ：ＳＩＢｓ)に含まれる情報から、ＰＣＣＨページング制御チャネル(Ｐａｇｉｎｇ  Ｃｏｎｔｒｏｌ  Ｃｈａｎｎｅｌ：ＰＣＣＨ)の基本構成情報を取得し、基本構成情報は、予め構成された遠端ＵＥのページング伝送情報を含み、例えば、ＳＩＢ２のページング制御チャネル−構成(Ｐａｇｉｎｇ  Ｃｏｎｔｒｏｌ  Ｃｈａｎｎｅｌ−ｃｏｎｆｉｇ：ＰＣＣＨ−ｃｏｎｆｉｇ)情報に含まれる内容から、予め構成された遠端ＵＥのページング伝送情報を取得し、中継ＵＥは、その遠端ＵＥのページング伝送情報を保存し、使用が必要な場合に抽出する。中継ＵＥが予め構成された遠端ＵＥのページング伝送情報を取得する手順は、すなわち、該遠端ＵＥのページング伝送情報を抽出する手順である。なお、上述した遠端ＵＥのページング伝送情報は、中継ＵＥ出荷時にプロトコルに従って配置されてもよいし、ネットワーク側が他の方式で中継ＵＥに配置されてもよいし、人工配置等で中継ＵＥに配置されてもよいし、本発明の実施例は、基地局側に配置された遠端ＵＥのページング伝送情報と同一であることが保証されていれば、これに限定されない。
【０１００】
第２の実現方式では、中継ＵＥは、予め構成された構成パラメータに従って、遠端ＵＥのページング伝送情報を算出する。
【０１０１】
任意選択で、基地局は、構成パラメータを予め設定し、中継ＵＥに送信することができる。具体的には、ネットワーク側は、システム情報、無線リソース制御シグナリングなどの上位レイヤシグナリング、または物理層シグナリングなどを介して、この構成パラメータを基地局に送信することができ、例えば、中継ＵＥは、基地局により送信されたＳＩＢｓに含まれる情報からＰＣＣＨの基本構成情報を取得し、その基本構成情報は、予め構成された遠端ＵＥの構成パラメータを含み、例えば、ＳＩＢ２におけるＰＣＣＨ−ｃｏｎｆｉｇ情報に含まれる内容から、予め構成された構成パラメータを確定することができる。中継ＵＥは、構成パラメータを保存し、遠端ＵＥのページング伝送情報を計算する必要があるときに抽出する。なお、構成パラメータは、ページング周期及びページング周期の数を含んでもよい。なお、上記構成パラメータは、プロトコルに応じて中継ＵＥの出荷時にその中に配置されてもよいし、ネットワーク側が他の方式で中継ＵＥに配置してもよいし、人工配置等で中継ＵＥに配置してもよいし、本発明の実施例は、基地局側が配置した構成パラメータと同一であることが保証されていれば、これに限定されない。
【０１０２】
本発明の実施例において、遠端ＵＥのページング伝送情報は、複数のページング伝送情報を含み得る。任意選択で、中継ＵＥは、予め構成された構成パラメータ及び設定可能なＩＭＳＩのフルセットを取得し、構成パラメータ及び設定可能なＩＭＳＩのフルセットから、ページング周期及びページング周期の数を含む上記複数のページング伝送情報をそれぞれ算出する。この計算プロセスは、上記ステップ２０２の第２の態様の第２の実現方式における基地局による複数のページング伝送情報を計算するプロセスを参照し、中継ＵＥ及び基地局の計算プロセスは、同じ方法でページングメッセージの送受信の整合性を保証する。
【０１０３】
第３の実現方式では、中継ＵＥは、予め構成されたＩＭＳＩに従って、遠端ＵＥのページング伝送情報を算出する。
【０１０４】
任意選択で、基地局は、ＩＭＳＩを予め構成し中継ＵＥに送信することができ、具体的には、基地局は、システム情報、上位レイヤシグナリング(例えば、無線リソース制御シグナリングなど)、または物理層シグナリングなどを介して、中継ＵＥにＩＭＳＩを送信することができ、例えば、中継ＵＥは、基地局により送信されたＳＩＢｓに含まれる情報から、ＰＣＣＨの基本構成情報を取得し、当該基本構成情報は、予め構成されたＩＭＳＩを含み、例えば、ＳＩＢ２中のＰＣＣＨ−ｃｏｎｆｉｇ情報に含まれる内容から、予め構成されたＩＭＳＩを確定することができる。中継は、そのＩＭＳＩを保存し、遠端ＵＥのページング伝送情報を計算する必要があるときに抽出する。なお、上記の予め構成されたＩＭＳＩは、プロトコルに応じて中継ＵＥの出荷時に配置されてもよいし、ネットワーク側が他の方式で中継ＵＥに配置されてもよいし、人工配置等で中継ＵＥに配置されてもよいし、本発明の実施例は、基地局側で配置された構成パラメータと同一であることが保証されていれば、これに限定されない。
【０１０５】
本発明の実施例において、予め構成されたＩＭＳＩは、通常、固定されたものであり、これは、中継ＵＥの個々のＩＭＳＩ及び遠端ＵＥの個々のＩＭＳＩとは独立しており、即ち、ＩＭＳＩの取得は、ある中継ＵＥのＩＭＳＩ及びある遠端ＵＥのＩＭＳＩに対するものではない。予め構成されたＩＭＳＩは、ネットワーク側が、配置可能なＩＭＳＩのフルセットからランダムに選択した少なくとも１つのＩＭＳＩであってもよいし、予め構成されたルールに従って、配置可能なＩＭＳＩのフルセットから選択した少なくとも１つのＩＭＳＩであってもよいし、ネットワーク側が、先に、配置可能なＩＭＳＩのフルセットから選択した複数のＩＭＳＩの候補であって、基地局がランダムに選択したり、或いは、予め構成されたルールに従って、当該複数のＩＭＳＩの候補から選択した少なくとも１つのＩＭＳＩであってもよい。基地局は、該ＩＭＳＩを取得した後に中継ＵＥに伝送し、基地局がどのように予め構成された該ＩＭＳＩを取得しても、予め構成されたＩＭＳＩを中継ＵＥに伝送し、ＵＥが基地局と同じ計算プロセスを用いてページング伝送情報を計算して得ることが保証さればよい。
【０１０６】
このページング伝送情報の計算プロセスは、上記ステップ２０２の第２の態様の第３の実現方式における基地局が複数のページング伝送情報を計算する手順を参照し、中継ＵＥ及び基地局の計算プロセスは同じであり、ページングメッセージの送受信の整合性を保証する。
【０１０７】
ステップ２０５において、中継ＵＥは、２つのセットのページング伝送情報に基づいて基地局により送信されたページングメッセージを受信する。
【０１０８】
中継ＵＥは、中継ＵＥのページング伝送情報に基づいて、中継ＵＥにより送信されたページングメッセージを受信し、例えば、ページング伝送情報によって示されるページングメッセージの伝送位置がサブフレームの位置である場合、中継ＵＥは、中継ＵＥのページング伝送情報によって示されるサブフレーにおいて中継ＵＥにより送信されたページングメッセージを受信する。本発明の実施例についての詳細な説明は省略する。
【０１０９】
遠端ＵＥは、基地局及び中継ＵＥが取得した遠端ＵＥのページング伝送情報の内容が同じであるので、基地局が遠端ＵＥのページング伝送情報においてターゲットページング伝送情報の選択を行っているか否かに関わらず、その送信されるページングメッセージは、遠端ＵＥのページング伝送情報によって示される伝送位置の範囲内にあり、そして、中継ＵＥは、基地局が送信したページングメッセージを受信するために、遠端ＵＥのページング伝送情報によって示される全てのサブフレームをリッスンすることができる。このリッスン方式を採用することにより、ページングメッセージの効率的な受信を保証することができる。
【０１１０】
上記のリッスン方式を採用することで、基地局と中継ＵＥは、選択方式を予め約束する必要がなくなり、シグナリング、人工配置、又は他の方式で当該選択方式を配置する手順を減らすことができる。
【０１１１】
なお、基地局と中継ＵＥが予め約束した選択方式は、基地局が遠端ＵＥのページング伝送情報から１つのページング伝送情報をターゲットページング伝送情報としてランダムに選択することである場合、中継ＵＥも上記リッスン方式を採用する。
【０１１２】
一方、中継ＵＥは、遠端ＵＥのページング伝送情報から１つのターゲットページング伝送情報を選択し、ターゲットページング伝送情報によって示されるサブフレームに基づいて、基地局により送信されたページングメッセージを受信するためのリッスンが行われる。
【０１１３】
ここで、中継ＵＥは、基地局と予め約束した選択方式に基づいて、遠端ＵＥのページング伝送情報から１つのターゲットページング伝送情報を選択してよい。
【０１１４】
具体的には、中継ＵＥは、遠端ＵＥのＩＭＳＩに従って、参照ページング伝送情報を算出することができ、遠端ＵＥのページング伝送情報から、前記参照ページング伝送情報に最も近い１つのページング伝送情報をターゲット前記ページング伝送情報として選択する。前記遠端ＵＥのＩＭＳＩは、特定のＩＭＳＩであり、中継ＵＥに現在接続している遠端ＵＥのＩＭＳＩである。当該参照ページング伝送情報のアルゴリズムは、上述のステップ２０２の第２の態様の第２の実現方式によって提供されるページング伝送情報の計算式を参照してもよい。遠端ＵＥのページング伝送情報から、参照ページング伝送情報に最も近い１つのページング伝送情報をターゲットページング伝送情報として選択する具体的な手順は、上記ステップ２０３２の第２の形態を参照し、本発明の実施例ではその説明を省略する。
【０１１５】
なお、上述したページング伝送情報の確定方法は、概略的に説明したものであり、実際の応用では様々な方法が考えられ、例えば、中継ＵＥは、基地局から予め中継ＵＥに通知された基地局のカスタムルールに従って、ページング伝送情報を確定するか、又は、基地局と中継ＵＥとが参照ページング伝送情報を約束し、遠端ＵＥのページング伝送情報から、参照ページング伝送情報に最も近い１つのページング伝送情報をターゲットページング伝送情報として選択する。本発明の実施例についての詳細な説明は省略する。
【０１１６】
なお、ページングメッセージにはＵＥ  ＩＤのリストが含まれるので、中継ＵＥが１つの伝送位置でページングメッセージをリッスンして見つける場合、自身のＩＤ及び現在接続している遠端ＵＥのＩＤを両方ともＵＥ  ＩＤリストとマッチングし、自身のＩＤがマッチングされた場合、当該ページングメッセージに従って後続の動作を実行し、接続している遠端ＵＥのＩＤがマッチングされた場合、ページングメッセージを対応する遠端ＵＥに送信し、現在のリッスンする伝送位置が、中継ＵＥのページング伝送情報によって示される伝送位置であるか、又は遠端ＵＥのページング伝送メッセージによって示される伝送位置であるかを考慮しなくてもよい。
【０１１７】
従来のＦｅＤ２Ｄ通信技術では、基地局は、中継ＵＥのＩＭＳＩに従ってページング伝送情報を計算し、ページング伝送情報に基づいてページングメッセージを中継ＵＥに送信し、中継ＵＥは、ページング伝送情報によって示されるサブフレームをリッスンすればよく、遠端ＵＥに対するページングメッセージを受信すると、ページングメッセージを遠端ＵＥに転送する。しかしながら、中継ＵＥが当該ページングメッセージを取得した後に当該ページングメッセージを遠端ＵＥに転送できることを保証するためには、中継ＵＥは、中継ＵＥと遠端ＵＥの接続状態をリアルタイムに報告する必要があり、即ち、接続状態の変化毎に基地局を報告する必要があるため、ネットワークのシグナリングオーバーヘッドが大きくなる。
【０１１８】
本発明の実施例に係るメッセージ伝送方法は、基地局が、２つのセットのページング伝送情報を取得し、それぞれ、中継ＵＥのページング伝送情報及び遠端ＵＥのページング伝送情報であり、基地局が中継ＵＥとのデータ送受信を行う必要がある場合、中継ＵＥのページング伝送情報に基づいて、ページングメッセージを中継ＵＥに送信し、基地局が遠端ＵＥとのデータ送受信を行う必要がある場合、遠端ＵＥのページング伝送情報に基づいて、ページングメッセージを中継ＵＥに送信することにより、中継ＵＥと遠端ＵＥとの接続状態を考慮する必要がなく、従って、ネットワークのシグナリングオーバーヘッドを低減する。
【０１１９】
さらに、本発明の実施例において、遠端ＵＥのページング伝送情報は、ある遠端ＵＥに対して計算されるのもではなく、単体の遠端ＵＥから独立しており、広い概念であると認められ、あるカテゴリの遠端ＵＥに対するものであり、即ち、当該遠端ＵＥのページング伝送情報は、基地局によってサービス提供する全ての遠端ＵＥに対するものであり、又は、当該遠端ＵＥのページング伝送情報は、同一のＴＡＣ下の全ての遠端ＵＥに対するものであり、又は、当該遠端ＵＥのページング伝送情報は、同一の通信システム下の全ての遠端ＵＥに対するものである。
【０１２０】
図２−３に示すように、図２−３は通信システムの構造図であり、当該通信システムにおいて、中継ＵＥ１２１、中継ＵＥ１２３、および中継ＵＥ１２５がいずれも基地局１１と無線接続を確立し、中継ＵＥ１２１の下に遠端ＵＥ１２２が接続され、中継ＵＥ１２３の下に遠端ＵＥ１２４が接続され、中継ＵＥ１２５の下に遠端ＵＥ１２６が接続された。中継ＵＥ１２１、中継ＵＥ１２３、及び中継ＵＥ１２５はそれぞれ、自身に対するページング伝送情報と、遠端ＵＥに対するページング伝送情報との２つのセットのページング伝送情報取得することができ、それぞれ取得した自身に対するページング伝送情報の取得が異なる可能性があり、その取得方法は、従来技術を参照しており、それぞれ取得した遠端ＵＥに対するページング伝送情報は、同じであってもよい。例えば、上記ステップ２０２において、ページング伝送情報は、第２の態様の第１〜第３の実現方式を用いて確定され、遠端ＵＥのページング伝送情報が予め決められているか、構成パラメータが予め決められているか、又はＩＭＳＩが予め構成されているため、これらの構成は、コアネットワークのようなネットワーク側によって基地局及び中継ＵＥに対して構成されてもよい。したがって、予め構成された内容に基づいて、同じ遠端ＵＥのページング伝送情報をそれぞれ算出することができる。このように、各中継ＵＥの下にどのぐらいの遠端ＵＥが接続されているかに関わらず、それは、遠端ＵＥのページング伝送情報によって示される伝送位置においてリッスンを行う。また、遠端ＵＥのページング伝送情報が複数のページング伝送情報を含む場合、各中継ＵＥは複数の伝送位置を取得することができ、各ＵＥは、該複数の伝送位置の全てをリッスンしてもよいし、予め構成されたルールに従って選択してリッスンしてもよい。いずれの場合も、中継ＵＥは、遠端ＵＥとの接続状態を基地局に報告する必要がない。
【０１２１】
従来のＦｅＤ２Ｄ通信技術では、基地局は、自身が接続する遠端ＵＥのＩＭＳＩに従ってページング伝送情報を計算し、該ページング伝送情報に基づいてページングメッセージを中継ＵＥに送信することもできる。中継ＵＥは、ｒｅｌａｙ  ＵＥ自身及びｒｅｍｏｔｅ  ＵＥを含むＰＯ、ＰＦをリッスンして、両方のページングメッセージを取得する必要がある。
【０１２２】
図２−４に示すように、図２−４は通信システムの構造図であり、中継ＵＥ１２１と基地局１１とが無線接続を確立し、中継ＵＥ１２１の下に、遠端ＵＥ１２２、遠端ＵＥ１２８、及び遠端ＵＥ１２９が接続されている。従来のＦｅＤ２Ｄ通信技術において、中継ＵＥ１２１は、遠端ＵＥ１２２、遠端ＵＥ１２８、及び遠端ＵＥ１２９のそれぞれについてページング伝送情報を計算して３つのページング伝送情報を取得し、この３つのページング伝送情報及び自身のページング伝送情報の計４つのページング伝送情報に基づいてページングメッセージのリッスンを行う必要がある。
【０１２３】
本発明の実施例において、中継ＵＥ１２１は、２つのセットのページング伝送情報を取得するだけでよく、ここで、遠端ＵＥのページング伝送情報の範囲は固定され、即ち、遠端ＵＥ１２２、遠端ＵＥ１２８及び遠端ＵＥ１２９に対応する１つのセットの遠端ＵＥのページング伝送情報は同じであり、中継ＵＥ１２１は、１セットの遠端ＵＥのページング伝送情報によって示される１つ又は複数の伝送位置と、自身のページング伝送情報によって示される伝送位置とをリッスンすればよい。特に、中継ＵＥ１２１の下に接続された遠端ＵＥが多い場合、例えば、遠端ＵＥが百千である場合、従来のＦｅＤ２Ｄ通信技術では、中継ＵＥはこれらの伝送位置をリッスンする必要があり、消費電力が大きいが、本発明の実施例では、中継ＵＥは、取得された遠端ＵＥのページング伝送情報によって示された１つ以上の伝送位置と、自身のページング伝送情報によって示された伝送位置とをリッスンすればよく、消費電力を効果的に低減することができる。
【０１２４】
以上のように、本発明の実施例が提供するメッセージ伝送方法は、基地局が、２つのセットのページング伝送情報を取得し、それぞれ、中継ＵＥのページング伝送情報及び遠端ＵＥのページング伝送情報であり、基地局が中継ＵＥとデータ送受信を行う必要がある場合、中継ＵＥのページング伝送情報に基づいて、ページングメッセージを中継ＵＥに送信し、基地局が遠端ＵＥとデータ送受信を行う必要がある場合、遠端ＵＥのページング伝送情報に基づいて、ページングメッセージを中継ＵＥに送信し、中継ＵＥと遠端ＵＥとの接続状態を考える必要がなく、中継ＵＥは、該２つのセットのページング伝送情報に基づいて、基地局が送信するページングメッセージを受信するだけでよく、自身が何個の遠端ＵＥに接続しているかを考慮する必要がないため、ネットワークのシグナリングオーバーヘッドが低減され、中継ＵＥの消費電力も低減される。
【０１２５】
図３-１は、例示的な実施例に係る、基地局に応用されるメッセージ伝送装置３０のブロック図であり、図３-１に示すように、装置３０は、取得モジュール３０１及び送信モジュール３０２を含む。
【０１２６】
取得モジュール３０１は、中継ＵＥが基地局と遠端ＵＥとの間の中継装置である中継ＵＥのページング伝送情報と、遠端ＵＥのページング伝送情報とを含む２つのセットのページング伝送情報を取得し、前記ページング伝送情報は、ページングメッセージの伝送位置を示す。
【０１２７】
送信モジュール３０２は、２つのセットのページング伝送情報に基づいて、ページングメッセージを中継ＵＥに送信するように構成される。
【０１２８】
任意選択で、図３-２は、例示的な実施例に係る送信モジュール３０２のブロック図であり、図３-２に示すように、送信モジュール３０２は、情報取得サブモジュール３０２１及び送信サブモジュール３０２２を含む、
情報取得サブモジュール３０２１は、前記２つのセットのページング伝送情報から、前記中継ＵＥ及び/又は前記遠端ＵＥを含むターゲットＵＥのページング伝送情報を確定するように構成される。
【０１２９】
送信サブモジュール３０２２は、ターゲットＵＥのページング伝送情報に基づいて、ページングメッセージを中継ＵＥに送信するように構成される。
【０１３０】
任意選択で、前記遠端ＵＥのページング伝送情報は、複数のページング伝送情報を含み、前記送信サブモジュール３０２２は、
前記ターゲットＵＥが遠端ＵＥを含む場合に、前記遠端ＵＥのページング伝送情報から１つのターゲットページング伝送情報を選択するように構成される選択サブモジュールと、
前記ターゲットページング伝送情報によって示されるサブフレームにおいて、前記中継ＵＥに前記遠端ＵＥのページングメッセージを送信するように構成されるメッセージ送信サブモジュールとを含む
任意選択で、前記選択サブモジュールは、
前記中継ＵＥと予め定められた選択方式に基づいて、前記遠端ＵＥのページング伝送情報から１つのターゲットページング伝送情報を選択するように構成される。
【０１３１】
任意選択で、前記選択サブモジュールは、
前記遠端ＵＥのページング伝送情報から１つのページング伝送情報を前記ターゲットページング伝送情報としてランダムに選択するように構成される。
【０１３２】
又は、選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される。
【０１３３】
任意選択で、取得モジュール３０１は、
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【０１３４】
任意選択で、取得モジュール３０１は、
前記中継ＵＥが送信した伝送モード変更シグナリングを受信した後に前記２つのセットのページング伝送情報を取得するように構成され、前記伝送モード変更シグナリングは、前記中継ＵＥが遠端ＵＥと接続を確立した後に送信したものである。
【０１３５】
任意選択で、前記ページング伝送情報は、ページング時刻及びページングフレームの情報を含む。
【０１３６】
以上のように、本発明の実施例が提供するメッセージ伝送装置は、基地局が、２つのセットのページング伝送情報を取得し、それぞれ、中継ＵＥのページング伝送情報及び遠端ＵＥのページング伝送情報であり、基地局が中継ＵＥとデータ送受信を行う必要がある場合、中継ＵＥのページング伝送情報に基づいて、ページングメッセージを中継ＵＥに送信し、基地局が遠端ＵＥとデータ送受信を行う必要がある場合、遠端ＵＥのページング伝送情報に基づいて、ページングメッセージを中継ＵＥに送信し、中継ＵＥと遠端ＵＥとの接続状態を考える必要がなく、中継ＵＥは、該２つのセットのページング伝送情報に基づいて、基地局が送信するページングメッセージを受信するだけでよく、自身が何個の遠端ＵＥに接続しているかを考慮する必要がないため、ネットワークのシグナリングオーバーヘッドが低減され、中継ＵＥの消費電力も低減される。
【０１３７】
図４-１は、例示的な実施例に係る、中継ＵＥに応用されるメッセージ伝送装置４０のブロック図であり、図４-１に示すように、装置４０は、取得モジュール４０１及び受信モジュール４０２を含む。
【０１３８】
取得モジュール４０１は、基地局と遠端ＵＥとの間の中継装置である中継ＵＥのページング伝送情報と、遠端ＵＥのページング伝送情報とを含む２つのセットのページング伝送情報を取得するように構成され、前記ページング伝送情報は、ページングメッセージの伝送位置を示す。
【０１３９】
受信モジュール４０２は、２つのセットのページング伝送情報に基づいて基地局により送信されたページングメッセージを受信するように構成される。
【０１４０】
任意選択で、受信モジュール４０２は、
前記２つのセットのページング伝送情報によって示される全てのサブフレームをリッスンして、前記基地局により送信されたページングメッセージを受信するように構成される。
【０１４１】
任意選択で、前記遠端ＵＥのページング伝送情報は、複数のページング伝送情報を含み、図４-２は、例示的な実施例によって示される受信モジュールのブロック図であり、図４-２に示されるように、前記受信モジュール４０２は、選択サブモジュール４０２１及びリッスンサブモジュール４０２２を含む。
【０１４２】
選択サブモジュール４０２１は、前記遠端ＵＥのページング伝送情報から１つのターゲットページング伝送情報を選択するように構成される。
【０１４３】
リッスンサブモジュール４０２２は、ターゲットページング伝送情報によって示されるサブフレームに基づいてリッスンを行って、基地局により送信されたページングメッセージを受信するように構成される。
【０１４４】
任意選択で、選択サブモジュール４０２１は、
前記基地局と予め定められた選択方式に基づいて、前記遠端ＵＥのページング伝送情報から１つのターゲットページング伝送情報を選択するように構成される。
【０１４５】
任意選択で、選択サブモジュール４０２１は、
前記遠端ＵＥのＩＭＳＩに基づいて参照ページング伝送情報を算出し、前記遠端ＵＥのページング伝送情報から、前記参照ページング伝送情報に最も近い１つのページング伝送情報を前記ターゲットページング伝送情報として選択するように構成される。
【０１４６】
任意選択で、取得モジュール４０１は、
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【０１４７】
図４-３は、例示的な実施例に係る、メッセージ伝送装置の他のブロック図であり、前記装置４０は、さらに、シグナリング伝送モジュール４０３を含む。
【０１４８】
シグナリング伝送モジュール４０３は、前記２つのセットのページング伝送情報を取得する前に、前記中継ＵＥが前記遠端ＵＥとの接続を確立した後に、伝送モード変更シグナリングを基地局に送信するように構成される。
【０１４９】
選択任意で、前記ページング伝送情報は、ページング時刻及びページングフレームの情報を含む。
【０１５０】
以上のように、本発明の実施例が提供するメッセージ伝送装置は、中継ＵＥが、２つのセットのページング伝送情報を取得し、それぞれ中継ＵＥのページング伝送情報及び遠端ＵＥのページング伝送情報であり、中継ＵＥのページング伝送情報に基づいて、基地局により送信されたページングメッセージを受信し、遠端ＵＥのページング伝送情報に基づいて、基地局により送信されたページングメッセージを受信することができ、中継ＵＥ及び遠端ＵＥの接続状態を考慮する必要がなく、且つ、中継ＵＥは、該２つのセットのページング伝送情報に基づいて基地局により送信されたページングメッセージを受信するだけでよく、自身が何個の遠端ＵＥに接続しているかを考慮する必要がないため、ネットワークのシグナリングオーバーヘッドが低減され、中継ＵＥの消費電力も低減される。
【０１５１】
本発明の実施例は、図５に示すように、上記の図３-１に示すメッセージ伝送装置４０を含む中継ＵＥ５０１と、遠端ＵＥ５０２と、基地局５０３と、を備えるメッセージ伝送システム５０を提供する。
【０１５２】
基地局５０３は、図４-１または図４-３に示されるメッセージ伝送装置４０を含み得る。
【０１５３】
図６は、本発明の実施例に係るメッセージ伝送装置６０の構成を示す図である。メッセージ伝送装置６０は、上記中継ＵＥ５０１または基地局５０３であってよく、プロセッサ６２とネットワークインタフェース６４とを含む。
【０１５４】
プロセッサ６２は、１つ以上の処理コアを含む。プロセッサ６２は、ソフトウェアプログラム及びモジュールを実行することにより、各種機能アプリケーション及びデータ処理を実行する。
【０１５５】
ネットワークインタフェース６４は複数であってもよく、他の記憶装置又はネットワークデバイスと通信するために用いられる。
【０１５６】
任意選択で、メッセージ伝送装置６０は、メモリ６６、バス６８などの構成要素をさらに含む。ここで、メモリ６６とネットワークインタフェース６４は、それぞれバス６８を介してプロセッサ６２に接続されている。
【０１５７】
メモリ６６は、ソフトウェアプログラム及びモジュールを記憶するために使用され得る。具体的には、メモリ６６は、オペレーティングシステム６６２、少なくとも１つの機能に必要なアプリケーションモジュール６６４を記憶し得る。オペレーティングシステム６６２は、リアルタイムオペレーティングシステム(Ｒｅａｌ  Ｔｉｍｅ  ｅＸｅｃｕｔｉｖｅ：ＲＴＸ)、ＬＩＮＵＸ、ＵＮＩＸ、ＷＩＮＤＯＷＳ、又はＯＳＸなどのオペレーティングシステムであってもよい。
【０１５８】
いくつかの実施例において、メッセージ伝送装置６０が基地局５０３である場合、ネットワークインタフェース６４は送受信アンテナ(送信機および受信機でもよい)であってもよく、メモリ６６に記憶されたアプリケーションモジュール６６４は、上記のステップ２０２、ステップ２０３などのステップを実行することができる。
【０１５９】
メッセージ伝送装置６０が中継ＵＥ５０１である場合、ネットワークインタフェース６４は送受信アンテナ(送信機および受信機でもよい)であってもよく、メモリ６６に記憶されたアプリケーションモジュール６６４は、上記のステップ２０１、ステップ２０４、ステップ２０５などのステップを実行することができる。
【０１６０】
例示的な実施例では、本発明の実施例は、例えば、上述した照明デバイス制御方法を達成するためにメッセージ伝送装置６０のプロセッサ６２によって実行可能な命令を含むメモリ６６などの命令を含む非一時的コンピュータ可読記憶媒体をさらに提供する。例えば、非一時的コンピュータ可読記憶媒体は、ＲＯＭ、ランダムアクセスメモリ(ＲＡＭ)、ＣＤ−ＲＯＭ、磁気テープ、フロッピーディスク、及び光データ記憶デバイス等であってもよい。
【０１６１】
説明の便宜及び簡潔さのために、上記で説明したシステム、装置及びモジュールの具体的な動作プロセスは、前述の方法の実施例における対応するプロセスを参照してもよく、ここでその説明が省略されることは、当業者が明確に理解するものである。
【０１６２】
本発明の実施例における「及び/又は」という用語は、単に関連オブジェクトを記述する関連関係の１つであり、Ａ及び/又はＢの３種類の関係が存在し得ることを意味し、Ａのみ、ＡとＢが同時に存在すること、Ｂのみが存在することの３種類の場合が存在し得ることを意味する。なお、本文中の「/」の文字は、前後の関連オブジェクトが一種の「または」の関係であることを一般的に示す。
【０１６３】
当業者であれば、上述の実施例を実現することの全部または一部は、ハードウェアによって、または、コンピュータ可読記憶媒体に記憶され得るプログラム命令に関連するハードウェアによって、達成され得ることが理解され、上述の記憶媒体は、読み取り専用メモリ、磁気ディスク、または光ディスクなどであり得る。以上の説明は、本発明の好適な実施例を示したに過ぎず、本発明を限定するものではなく、本発明の精神と原理の範囲内で、変形、均等物、改良物などを全て本発明の範囲内に含むものとする。
【図１】
2020519069.tif 000004
【図２−１】
2020519069.tif 000005
【図２−２】
2020519069.tif 000006
【図２−３】
2020519069.tif 000007
【図２−４】
2020519069.tif 000008
【図３−１】
2020519069.tif 000009
【図３−２】
2020519069.tif 000010
【図４−１】
2020519069.tif 000011
【図４−２】
2020519069.tif 000012
【図４−３】
2020519069.tif 000013
【図５】
2020519069.tif 000014
【図６】
2020519069.tif 000015
【手続補正書】
【提出日】令和2年4月1日(2020.4.1)
【手続補正１】
【補正対象書類名】明細書
【補正対象項目名】全文
【補正方法】変更
【補正の内容】
【発明の詳細な説明】
【技術分野】
【０００１】
本願は、通信技術の応用分野に関し、特にメッセージ伝送方法、装置及びシステムに関する。
【背景技術】
【０００２】
デバイスツーデバイス(Ｄｅｖｉｃｅ-ｔｏ-Ｄｅｖｉｃｅ：Ｄ２Ｄ)通信技術は、２つの同様のユーザデバイス(Ｕｓｅｒ  Ｅｑｕｉｐｍｅｎｔ：ＵＥ)間で直接通信を行う通信方式である。強化されたデバイスツーデバイス(Ｆｕｒｔｈｅｒ  ｅｎｈａｎｃｅ  Ｄｅｖｉｃｅ-ｔｏ-Ｄｅｖｉｃｅ：ＦｅＤ２Ｄ )通信技術は、Ｄ２Ｄ通信技術に基づく改良技術であり、ＦｅＤ２Ｄ通信技術では、中継（ｒｅｌａｙ）ＵＥは、遠端（ｒｅｍｏｔｅ）ＵＥと基地局との間の中継装置として、遠端ＵＥと基地局との間のデータ転送を行うことができ、また、基地局は、中継ＵＥおよび遠端ＵＥのＵＥコンテキスト(ｃｏｎｔｅｘｔ)を保存する。
【０００３】
ＵＥがアイドル状態にあるが、ネットワーク側がＵＥとのデータ送受信を行う必要がある場合、基地局はページングメッセージ(ｐａｇｉｎｇ)によってＵＥに通知する。従来のＦｅＤ２Ｄ通信技術では、基地局は、中継ＵＥのＩＭＳＩに従って、ページング時刻(Ｐａｇｉｎｇ  Ｏｃｃａｓｉｏｎ：ＰＯ)とページングフレーム(Ｐａｇｉｎｇ  Ｆｒａｍｅ：ＰＦ)の情報を含むページング伝送情報を計算し、このページング伝送情報に基づいて、ページングメッセージを中継ＵＥに送信する。
【０００４】
しかしながら、従来のＦｅＤ２Ｄ通信技術では、基地局は、遠端ＵＥとデータ送受信を行う必要があり、中継ＵＥのＩＭＳＩに従ってページング伝送情報を計算する場合、中継ＵＥと遠端ＵＥとの接続状態をシグナリングによりリアルタイムに取得して、中継ＵＥが当該ページングメッセージを取得した後に遠端ＵＥに伝送できることを保証する必要があり、この場合、多くのシグナリングは、ネットワークのシグナリングオーバーヘッドが大きくなる。
【発明の概要】
【０００５】
本発明は、ネットワークのシグナリングオーバーヘッドが大きくなるという従来の問題点を解決するために、メッセージ伝送方法、装置及びシステムを提供する。この技術案は、以下の通りである。
【０００６】
第１の態様は、基地局に応用されるメッセージ伝送方法を提供し、
前記基地局と遠端ＵＥとの間の中継装置である中継ＵＥのページング伝送情報と、遠端ＵＥのページング伝送情報とを含む２つのセットのページング伝送情報を取得することと、
２つのセットのページング伝送情報に基づいて、中継ＵＥにページングメッセージを送信することとを含み、
前記ページング伝送情報は、ページングメッセージの伝送位置を示す。
【０００７】
任意選択で、前記２つのセットの前記ページング伝送情報に基づいて、前記ページングメッセージを前記中継ＵＥに送信することは、
前記２つのセットのページング伝送情報から、前記中継ＵＥ及び/又は前記遠端ＵＥを含むターゲットＵＥのページング伝送情報を確定することと、
前記ターゲットＵＥのページング伝送情報に基づいて、前記中継ＵＥにページングメッセージを送信することとを含む。
【０００８】
任意選択で、前記遠端ＵＥのページング伝送情報は、複数のページング伝送情報を含み、
前記ターゲットＵＥのページング伝送情報に基づいて、前記中継ＵＥにページングメッセージを送信することは、
前記ターゲットＵＥが遠端ＵＥを含む場合、前記遠端ＵＥのページング伝送情報から１つのターゲットページング伝送情報を選択することと、
前記ターゲットページング伝送情報によって示されるサブフレームにおいて、前記中継ＵＥに前記遠端ＵＥのページングメッセージを送信することとを含む。
【０００９】
任意選択で、前記遠端ＵＥのページング伝送情報から１つのターゲットページング伝送情報を選択することは、
前記中継ＵＥと予め定められた選択方式に基づいて、前記遠端ＵＥのページング伝送情報から１つのターゲットページング伝送情報を選択することを含む。
【００１０】
任意選択で、前記中継ＵＥと予め定められた選択方式に基づいて、前記遠端ＵＥのページング伝送情報から１つのターゲットページング伝送情報を選択することは、
前記遠端ＵＥのページング伝送情報から１つのページング伝送情報を前記ターゲットページング伝送情報としてランダムに選択することを含む。
【００１１】
任意選択で、前記中継ＵＥと予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む。
【００１２】
任意選択で、前記２つのセットの前記ページング伝送情報を取得することは、
予め確定された前記遠端ＵＥのページング伝送情報を取得することと、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む。
【００１３】
任意選択で、前記２つのセットのページング伝送情報を取得することは、
前記中継ＵＥが送信した伝送モード変更シグナリングを受信した後に前記２つのセットのページング伝送情報を取得することを含み、
前記伝送モード変更シグナリングは、前記中継ＵＥが遠端ＵＥと接続を確立した後に送信したものである。
【００１４】
任意選択で、前記ページング伝送情報は、ページング時刻及びページングフレームの情報を含む。
【００１５】
第２の態様は、中継ＵＥに応用されるメッセージ伝送方法を提供し、
基地局と遠端ＵＥとの間の中継装置である前記中継ＵＥのページング伝送情報と、遠端ＵＥのページング伝送情報とを含む２つのセットのページング伝送情報を取得することと、
前記２つのセットのページング伝送情報に基づいて、前記基地局により送信されたページングメッセージを受信することとを含み、
前記ページング伝送情報は、ページングメッセージの伝送位置を示す。
【００１６】
任意選択で、前記２つのセットのページング伝送情報に基づいて、前記基地局により送信されたページングメッセージを受信することは、
前記２つのセットのページング伝送情報によって示される全てのサブフレームをリッスンして、前記基地局により送信されたページングメッセージを受信することを含む。
【００１７】
任意選択で、前記遠端ＵＥのページング伝送情報は、複数のページング伝送情報を含み、
前記２つのセットのページング伝送情報に基づいて、前記基地局により送信されたページングメッセージを受信することは、
前記遠端ＵＥのページング伝送情報から１つのターゲットページング伝送情報を選択することと、
前記ターゲットページング伝送情報によって示されるサブフレームに基づいてリッスンを行って、前記基地局により送信されたページングメッセージを受信することとを含む。
【００１８】
任意選択で、前記遠端ＵＥのページング伝送情報から１つのターゲットページング伝送情報を選択することは、
前記基地局と予め定められた選択方式に基づいて、前記遠端ＵＥのページング伝送情報から１つのターゲットページング伝送情報を選択することを含む。
【００１９】
任意選択で、基地局と予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む。
【００２０】
任意選択で、前記２つのセットのページング伝送情報を取得することは、
予め確定された前記遠端ＵＥのページング伝送情報を取得することと、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む。
【００２１】
任意選択で、前記２つのセットの前記ページング伝送情報を取得する前に、前記方法は、さらに、
前記中継ＵＥが前記遠端ＵＥと接続を確立した後に、伝送モード変更シグナリングを基地局に送信することを含む。
【００２２】
任意選択で、前記ページング伝送情報は、ページング時刻及びページングフレームの情報を含む。
【００２３】
第３の形態は、基地局に応用されるメッセージ伝送装置を提供し、
前記基地局と遠端ＵＥとの間の中継装置である中継ＵＥのページング伝送情報と、遠端ＵＥのページング伝送情報とを含む２つのセットのページング伝送情報を取得するように構成される取得モジュールと、
前記２つのセットのページング伝送情報に基づいて、前記ページングメッセージを前記中継ＵＥに送信するように構成される送信モジュールとを含み、
前記ページング伝送情報は、前記ページングメッセージの伝送位置を示す。
【００２４】
任意選択で、前記送信モジュールは、
前記２つのセットのページング伝送情報から、前記中継ＵＥ及び/又は前記遠端ＵＥを含むターゲットＵＥのページング伝送情報を確定するように構成される情報取得サブモジュールと、
前記ターゲットＵＥのページング伝送情報に基づいて、前記中継ＵＥにページングメッセージを送信するように構成される送信サブモジュールとを含む。
【００２５】
任意選択で、前記遠端ＵＥのページング伝送情報は、複数のページング伝送情報を含み、
前記送信サブモジュールは、
前記ターゲットＵＥが遠端ＵＥを含む場合に、前記遠端ＵＥのページング伝送情報から１つのターゲットページング伝送情報を選択するように構成される選択サブモジュールと、
前記ターゲットページング伝送情報によって示されるサブフレームにおいて、前記中継ＵＥに前記遠端ＵＥのページングメッセージを送信するように構成されるメッセージ送信サブモジュールとを含む。
【００２６】
任意選択で、前記選択サブモジュールは、
前記中継ＵＥと予め定められた選択方式に基づいて、前記遠端ＵＥのページング伝送情報から１つのターゲットページング伝送情報を選択するように構成される。
【００２７】
任意選択で、前記選択サブモジュールは、
前記遠端ＵＥのページング伝送情報から１つのページング伝送情報を前記ターゲットページング伝送情報としてランダムに選択するように構成される。
【００２８】
任意選択で、前記選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される。
【００２９】
任意選択で、取得モジュールは
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【００３０】
任意選択で、取得モジュールは
前記中継ＵＥが送信した伝送モード変更シグナリングを受信した後に前記２つのセットのページング伝送情報を取得するように構成され、
前記伝送モード変更シグナリングは、前記中継ＵＥが遠端ＵＥと接続を確立した後に送信したものである。
【００３１】
任意選択で、前記ページング伝送情報は、ページング時刻及びページングフレームの情報を含む。
【００３２】
第４の態様は、中継ＵＥに応用されるメッセージ伝送装置を提供し、
基地局と遠端ＵＥとの間の中継装置である前記中継ＵＥのページング伝送情報と、遠端ＵＥのページング伝送情報とを含む２つのセットのページング伝送情報を取得するように構成される取得モジュールと、
前記２つのセットのページング伝送情報に基づいて前記基地局により送信されたページングメッセージを受信するように構成される受信モジュールとを含み、
前記ページング伝送情報は、前記ページングメッセージの伝送位置を示す。
【００３３】
任意選択で、前記受信モジュールは
前記２つのセットのページング伝送情報によって示される全てのサブフレームをリッスンして、前記基地局により送信されたページングメッセージを受信するように構成される。
【００３４】
任意選択で、前記遠端ＵＥのページング伝送情報は、複数のページング伝送情報を含み、
前記受信モジュールは、
前記遠端ＵＥのページング伝送情報から１つのターゲットページング伝送情報を選択するように構成される選択サブモジュールと、
前記ターゲットページング伝送情報によって示されるサブフレームに基づいてリッスンして、前記基地局により送信されたページングメッセージを受信するように構成されるリッスンサブモジュールとを含む。
【００３５】
任意選択で、前記選択サブモジュールは、
前記基地局と予め定められた選択方式に基づいて、前記遠端ＵＥのページング伝送情報から１つのターゲットページング伝送情報を選択するように構成される。
【００３６】
任意選択で、前記選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される。
【００３７】
任意選択で、取得モジュールは
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【００３８】
任意選択で、前記２つのセットのページング伝送情報を取得する前に、前記中継ＵＥが前記遠端ＵＥとの接続を確立した後に、伝送モード変更シグナリングを基地局に送信するように構成されるシグナリング伝送モジュールを含む。
【００３９】
任意選択で、前記ページング伝送情報は、ページング時刻及びページングフレームの情報を含む。
【００４０】
第５の形態は、メッセージ伝送システムを提供し、中継ＵＥと、遠端ＵＥと、基地局とを備え、前記基地局は、第３の形態のいずれかに記載のメッセージ伝送装置を含み、前記中継ＵＥは、第４の形態のいずれかに記載のメッセージ伝送装置を含む。
【００４１】
本発明の実施例に係るメッセージ伝送方法、装置及びシステムによって、基地局が、２つのセットのページング伝送情報を取得し、それぞれ中継ＵＥのページング伝送情報及び遠端ＵＥのページング伝送情報であり、基地局が中継ＵＥとのデータ送受信を行う必要がある場合に、中継ＵＥのページング伝送情報に基づいて、ページングメッセージを中継ＵＥに送信し、基地局が遠端ＵＥとのデータ送受信を行う必要がある場合に、遠端ＵＥのページング伝送情報に基づいて、ページングメッセージを中継ＵＥに送信し、中継ＵＥと遠端ＵＥとの接続状態を考える必要がなく、また、中継ＵＥは、該２つのセットのページング伝送情報に基づいて、基地局により送信されたページングメッセージのみを受信し、自身が何個の遠端ＵＥに接続しているかを考慮する必要がないため、ネットワークのシグナリングオーバーヘッドを低減させ、中継ＵＥの消費電力も低減する。
【図面の簡単な説明】
【００４２】
本発明の実施例における技術的解決策をより明確に説明するために、以下の図面を参照して簡単に説明し、以下の説明における図面は本発明の実施例の一部にすぎず、当業者であれば、本発明の精神を逸脱しない範囲で、これらの図面から他の図面を取得することができることは明らかである。
【図１】本発明の実施例に係るメッセージ伝送方法の実施環境の模式図である。
【図２−１】本発明の実施例に係るメッセージ伝送方法のフローチャートである。
【図２−２】本発明の実施例に係る２つのセットのページング伝送情報に基づいてページングメッセージを中継ＵＥに送信する方法のフローチャートである。
【図２−３】本発明の実施例に係る通信システムの構造図である。
【図２−４】本発明の実施例に係る通信システムの他の構造図である。
【図３−１】例示的な実施例に係るメッセージ伝送装置を示すブロック図である。
【図３−２】例示的な実施例に係る送信モジュールのブロック図である。
【図４−１】例示的な実施例に係るメッセージ伝送装置を示すブロック図である。
【図４−２】例示的な実施例に係る受信モジュールのブロック図である。
【図４−３】例示的な実施例に係る別のメッセージ伝送装置を示すブロック図である。
【図５】本発明の実施例に係るメッセージ伝送システムのブロック図である。
【図６】本発明の実施例に係るメッセージ伝送装置の構成図である。
【発明を実施するための形態】
【００４３】
以下、本発明の目的、技術案及び利点を明確するために、本発明の実施の形態について、図面を参照して詳細に説明する。
【００４４】
図１は本発明の実施例に係るメッセージ伝送方法の実施環境の概略図である。この実施環境は、基地局１１と、複数のＵＥ１２とを含んでもよい。この複数のＵＥ１２は、基地局１１に直接接続され基地局１１と遠端ＵＥ１２２との間の情報の中継を可能にする中継ＵＥ１２１と、遠端ＵＥ１２２とを含む。
【００４５】
５Ｇシステムにおいて、基地局１１は、次世代基地局(ｇｅｎｅｒａｔｉｏｎＮｏｄｅ  Ｂ：ｇＮＢ)であってもよく、ＬＴＥシステムにおいて、該基地局１１は、進化型基地局(ｅｖｏｌｖｅｄ  Ｎｏｄｅ  Ｂ：ｅＮＢ)であってもよく、ＵＥ１２は、スマートフォン、コンピュータ、マルチメディアプレーヤ、電子リーダー、又はウェアラブルデバイス等であってもよい。基地局１１と中継ＵＥ１２１との間は無線ネットワークで接続が確立され、中継ＵＥ１２１と遠端ＵＥ１２２との間は無線ネットワークで接続が確立されてもよい。一般に、基地局１１と遠端ＵＥ１２２との間には、Ｕｕ直接接続状態及びＰＣ５(ＰＣ５の概念は、通信規格ＴＳ２３.３０３に基づく)中継状態があり、ここで、Ｕｕ直接接続状態は、基地局１１と遠端ＵＥ１２２のＵｕインタフェースが無線リソース制御(Ｒａｄｉｏ  Ｒｅｓｏｕｒｃｅ  Ｃｏｎｔｒｏｌ：ＲＲＣ)接続を確立する状態であり、この時、中継ＵＥ１２１によるデータ中継が必要がなく、ＰＣ５中継状態は、中継ＵＥ１２１を介して基地局１１と遠端ＵＥ１２２とがデータ伝送を行う状態である。例えば、遠端ＵＥ１２２はスマートウォッチであり、中継ＵＥ１２１はスマートフォンであり、スマートウォッチとスマートフォンはブルートゥース接続を確立し、スマートフォンを介してスマートウォッチと基地局との間のデータを伝送する。また、例えば、遠端ＵＥ１２２は第１のスマートフォンであってもよく、中継ＵＥ１２１は第２のスマートフォンであってもよく、第１のスマートフォンが基地局とＲＲＣ接続を確立できる場合でも、第２のスマートフォンを無線ホットスポットとし、第２のスマートフォンを介して第１のスマートフォンと基地局との間のデータを伝送してもよい。なお、実際の応用では、ある基地局１１と遠端ＵＥ１２２との間にＰＣ５中継状態のみがあり、すなわち、遠端１２２は基地局１１とＲＲＣ接続を実現できない場合がある。例えば、あるスマートウォッチは、基地局とのＲＲＣ接続を実現することができない。
【００４６】
通信システムにおいて、ＵＥがアイドル状態にあるが、ネットワーク側がＵＥとのデータ送受信を行う必要である場合、基地局はページングメッセージによってＵＥに通知する。このとき、ＵＥはページングメッセージをリッスンした場合、その後の応答を行うことができる。ネットワーク側は、コアネットワークのように、複数のトラッキングエリア(Ｔｒａｃｋｉｎｇ  Ａｒｅａ：ＴＡＣ)を管理し、各ＴＡＣ内には複数の基地局があり、同一のＴＡＣ下の基地局にページングメッセージを送信し、基地局がページング制御チャネル(Ｐａｇｉｎｇ  Ｃｏｎｔｒｏｌ  Ｃｈａｎｎｅｌ：ＰＣＣＨ)を介してＵＥに送信する。該ページングメッセージには、通常、ＵＥ識別情報(ｉｄｅｎｔｉｆｉｃａｔｉｏｎ：ＩＤ)リストが含まれ、ＵＥは、自分のＵＥ  ＩＤをページングメッセージに含まれるＵＥ  ＩＤとマッチングし、このページングメッセージで自分を呼び出すか否かを判定する。
【００４７】
ページングメッセージにおいて、ページングＩＤが一時移動加入者識別(Ｓ-Ｔｅｍｐｏｒａｒｙ  Ｍｏｂｉｌｅ  Ｓｕｂｓｃｒｉｂｅｒ  Ｉｄｅｎｔｉｔｙ：Ｓ-ＴＭＳＩ)である場合、今回のページングが通常のサービスのページングであることを示し、ここで、Ｓはシステムアーキテクチャ進化(Ｓｙｓｔｅｍ  Ａｒｃｈｉｔｅｃｔｕｒｅ  Ｅｖｏｌｕｔｉｏｎ：ＳＡＥ)の略称である。ページングＩＤが国際移動加入者識別符号(Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ)である場合、今回のページングが１回の異常ページングであることを示し、ネットワーク側のエラー回復に使用され、この場合、ＵＥはアタッチ（Ａｔｔａｃｈ）プロセスを再度実行する必要がある。なお、上述したＳ-ＴＭＳＩは、無線シグナリングへのより効率的な処理(ページング及びサービス要求)を保証するために、グローバル一意一時ＵＥ識別子(Ｇｌｏｂａｌｌｙ  Ｕｎｉｑｕｅ  Ｔｅｍｐｏｒａｒｙ  ＵＥ  Ｉｄｅｎｔｉｔｙ：ＧＵＴＩ)の短縮フォーマットである。ＩＭＳＩは、ＵＥを区別するためのものであり、通常、その長さは１５ビットを超えず、０〜９の数字配列を用いて得られる。ＩＭＳＩには、遠端ＵＥが属する国の番号であり、通常３桁の数字を占め、中国のＭＣＣが４６０と規定されている移動国番号(Ｍｏｂｉｌｅ  Ｃｏｕｎｔｒｙ  Ｃｏｄｅ：ＭＣＣ)と、中国の遠端ＵＥが在圏する移動通信網、例えば、ＭＮＣが００である移動通信網を識別するための２桁又は３桁の数字からなる移動網番号(Ｍｏｂｉｌｅ  Ｎｅｔｗｏｒｋ  Ｃｏｄｅ：ＭＮＣ)と、ある移動通信網においてモバイル加入者を識別するための移動ユーザー識別番号(Ｍｏｂｉｌｅ  Ｓｕｂｓｃｒｉｂｅｒ  Ｉｄｅｎｔｉｆｉｃａｔｉｏｎ  Ｎｕｍｂｅｒ：ＭＳＩＮ)とが含まれている。
【００４８】
従来の通信システムでは、非連続受信(Ｄｉｓｃｏｎｔｉｎｕｏｕｓ  Ｒｅｃｅｐｔｉｏｎ：ＤＲＸ)技術が提案され、ＤＲＸ技術において、１つのＤＲＸ周期を定義され、ＵＥは、１つのＤＲＸ周期内で、対応するページングフレーム(すなわちＰＦ)上のページング時刻(ＰＯ)のみに、物理ダウンリンク制御チャネル(Ｐｈｙｓｉｃａｌ  Ｄｏｗｎｌｉｎｋ  Ｃｏｎｔｒｏｌ  Ｃｈａｎｎｅｌ：ＰＤＣＣＨ )でページングメッセージ−無線ネットワーク一時的なアイデンティティ(Ｐａｇｉｎｇ−Ｒａｄｉｏ  Ｎｅｔｗｏｒｋ  Ｔｅｍｐｏｒｙ  Ｉｄｅｎｔｉｔｙ：Ｐ−ＲＮＴＩ)が搬送されているかどうかをリッスンする。さらに、対応する物理ダウンリンク共有チャネル(Ｐｈｙｓｉｃａｌ  Ｄｏｗｎｌｉｎｋ  Ｓｈａｒｅｄ  Ｃｈａｎｎｅｌ：ＰＤＳＣＨ)上でページングメッセージが搬送されているかどうかを判断することができる。Ｐ−ＲＮＴＩがＰＤＣＣＨで搬送される場合、ＰＤＳＣＨのデータは、ＰＤＣＣＨで示されるＰＤＳＣＨのパラメータに従って受信される。ＵＥがＰＤＣＣＨでＰ−ＲＮＴＩを解析しない場合、ＰＤＳＣＨ物理チャネルを再受信する必要がなく、ＤＲＸ周期に従って休止に入ることができる。このメカニズムを用いて、１つのＤＲＸ周期内で、ＵＥは、ＰＯが出現する時間位置のみでＰＤＣＣＨを受信し、その後、必要に応じてＰＤＳＣＨを受信すればよい。他の時間にはスリープ状態にすることで省電力化を図る。本発明の実施例は、このシーンに応用される。
【００４９】
本発明の実施例に係るメッセージ伝送方法は、上述したページングメッセージ伝送のシーンに適用され、具体的には、図２-１に示すように、該メッセージ伝送方法は、ステップ２０１〜ステップ２０５を含む。
【００５０】
ステップ２０１において、中継ＵＥは、中継ＵＥが遠端ＵＥとの接続を確立した後に、伝送モード変更シグナリングを基地局に送信する。
【００５１】
いくつかのシーンでは、遠端ＵＥは、基地局とＲＲＣ接続を直接確立してもよいし、中継ＵＥを介して基地局と接続を確立してもよく、例えば、遠端ＵＥがスマートフォンまたはラップトップであるシーンにおいて、遠端ＵＥの接続状態がＵｕ直接接続状態からＰＣ５中継状態に切り替わると、その伝送モードは変更され、すなわち、直接伝送から間接伝送に変化し、別のシーンにおいて、遠端ＵＥは、基地局とＲＲＣ接続を確立できないが、中継ＵＥを介して基地局と接続を確立することができ、例えば、遠端ＵＥがスマートウォッチまたはスマートハンドリングであるシーンにおいて、遠端ＵＥの接続状態が中継ＵＥと接続しない状態から中継接続に切り替わると、その伝送モードは変更され、すなわち、伝送不可能から伝送可能になる。
【００５２】
中継ＵＥが遠端ＵＥと接続を確立した後、基地局に伝送モード変更シグナリングを送信してもよく、該伝送モード変更シグナリングの送信タイミングは複数であってもよく、例えば、中継ＵＥは、遠端ＵＥとの接続確立が完了した後の所定時間(例えば２ｍｓ)内に、能動的に該伝送モード変更シグナリングを送信してもよく、又は、遠端ＵＥとの接続確立が完了した後の所定時間内に、遠端ＵＥのトリガで該伝送モード変更シグナリングを受動的に送信してもよく、また、例えば、中継ＵＥは、遠端ＵＥとの接続確立が完了した後、遠端ＵＥがデータ伝送を行う必要があると確定した場合に、当該伝送モード変更シグナリングを送信してもよい。遠端ＵＥがデータ伝送を行う必要がある場合、中継ＵＥにデータ伝送トリガコマンドを先に送信し、中継ＵＥは、該データ伝送トリガコマンドに従って伝送モード変更シグナリングを基地局に送信してもよい。一方、遠端ＵＥがデータ伝送を行う必要がある場合、中継ＵＥに伝送すべきデータを直接送信し、中継ＵＥは、そのデータに応じて伝送モード変更シグナリングを基地局に送信するか、または、伝送モード変更シグナリングを基地局に直接送信し、そのシグナリングには伝送すべきデータが含まれる。
【００５３】
ステップ２０２において、基地局は、中継ＵＥが送信する伝送モード変更シグナリングを受信した後、２つのセットのページング伝送情報を取得する。
【００５４】
基地局は、中継ＵＥが送信する伝送モード変更シグナリングを受信した後、中継ＵＥが送信した伝送モード変更シグナリングに基づいて、中継ＵＥが遠端ＵＥに接続していることを確定してもよく、通常、このモード伝送変更シグナリングには、遠端ＵＥの識別子(例えば、遠端ＵＥのＩＭＳＩ)が含まれ、基地局は、これに基づいて、中継ＵＥがどの遠端ＵＥに具体的に接続するかを確定してもよい。これに対応し、基地局は、その後にページングメッセージを送信する際に使用するための２つのセットのページング伝送情報を取得することができる。
【００５５】
本発明の実施例において、２つのセットのページング伝送情報は、中継ＵＥのページング伝送情報と、遠端ＵＥのページング伝送情報とを含み、ページング伝送情報は、ページングメッセージの伝送位置を示すものであり、伝送位置は、時間位置であり、ページング伝送情報は、ＰＦ及びＰＯの情報を含むことができる。ここで、ＰＦは、ページングメッセージを送信する無線フレームを示すものであり、その単位が１０ｍｓ(ミリ秒)であり、少なくとも１つのページング時刻を含むことができ、ＰＯは、ページングメッセージを送信するサブフレームを示し、その単位が１ｍｓである。
【００５６】
ここで、基地局が２つのセットのページング伝送情報を取得する方法は、主に以下の２つ態様を含む。
【００５７】
第１の態様では、基地局は、中継ＵＥのページング伝送情報を取得する。
【００５８】
基地局が中継ＵＥのページング伝送情報を取得する方法は、従来の中継ＵＥのページング伝送情報の取得方法、例えば、通信規格ＴＳ３６.３０４の章７.１に規定された内容を参照して、当該中継ＵＥのＩＭＳＩに基づいて中継ＵＥのページング伝送情報を算出してもよいし、以下の第２の態様において遠端ＵＥのページング伝送情報を取得する方法を参照してもよく、本発明の実施例はこれに関する説明を省略する。
【００５９】
第２の態様では、基地局は、遠端ＵＥのページング伝送情報を取得する。
【００６０】
基地局が遠端ＵＥのページング伝送情報を取得することは、様々な可能な方式があり、本発明の実施例は、以下の３つの実現方式を例に説明する。
【００６１】
第１の実現方式では、基地局は、予め定められた遠端ＵＥのページング伝送情報を取得する。
【００６２】
任意選択で、ネットワーク側の管理装置が、予め、遠端ＵＥのページング伝送情報を設定して基地局に送信するようにしてもよく、例えば、基地局があるシステムがＬＴＥシステムである場合、上記管理装置がコアネットワークにおけるモバイル管理ノード(Ｍｏｂｉｌｉｔｙ  Ｍａｎａｇｅｍｅｎｔ  Ｅｎｔｉｔｙ：ＭＭＥ)である。具体的には、ネットワーク側は、上位レイヤシグナリング又は別途に構成されたシグナリングを介して、遠端ＵＥのページング伝送情報を基地局に送信し、基地局は、該遠端ＵＥのページング伝送情報を保存し、使用が必要な場合に抽出する。基地局が予め定められた遠端ＵＥのページング伝送情報を取得する手順は、すなわち、当該遠端ＵＥのページング伝送情報を抽出する手順である。なお、上記遠端ＵＥのページング伝送情報は、プロトコルに応じて通信システムのネットワーク構成の際に基地局に配置されてもよい。
【００６３】
任意選択で、基地局は、遠端ＵＥのページング伝送情報を予め計算し、ページング伝送情報を保存し、使用が必要なときに抽出することができる。基地局が予め定められた遠端ＵＥのページング伝送情報を取得する手順は、すなわち、当該遠端ＵＥのページング伝送情報を抽出する手順である。
【００６４】
第２の実現方式では、基地局は、予め構成された構成パラメータに従って、遠端ＵＥのページング伝送情報を算出する。
【００６５】
任意選択で、ネットワーク側の管理装置は、この構成パラメータを予め設定して基地局に送信してもよく、例えば、基地局があるシステムがＬＴＥシステムである場合には、上記管理装置はＭＭＥとなる。具体的には、ネットワーク側が、上位レイヤシグナリング又は別途に構成されたシグナリングを介して、当該構成パラメータを基地局に送信し、基地局は、当該構成パラメータを保存し、遠端ＵＥのページング伝送情報を計算する必要があるときに抽出することができる。なお、構成パラメータは、ページング周期(Ｐａｇｉｎｇ  Ｃｙｃｌｅ)及びページング周期の数(nＢ)を含んでもよい。なお、上記構成パラメータは、通信システムのネットワーク構成の際に基地局に配置されてもよい。
【００６６】
本発明の実施例において、遠端ＵＥのページング伝送情報は、複数のページング伝送情報を含み得る。任意選択で、基地局は、予め構成された構成パラメータ及び設定可能なＩＭＳＩのフルセットを取得し、構成パラメータ及び設定可能なＩＭＳＩのフルセットから、ページング周期及びページング周期の数を含む上記複数のページング伝送情報をそれぞれ算出することができる。
【００６７】
前記複数のページング伝送情報は、以下のページング伝送情報の計算式を満たす。
【００６８】
ＳＦＮ ｍｏｄ Ｔ ＝ （ Ｔ ｄｉｖ Ｎ ） ＊ （ ＵＥ ＿ ＩＤ ｍｏｄ Ｎ ）
ｉ ＿ ｓ ＝ ｆｌｏｏｒ （ ＵＥ ＿ ＩＤ / Ｎ ） ｍｏｄ Ｎｓ
ここで、ＳＦＮ ｍｏｄ Ｔはページング時刻、Ｔはページング周期の時間長、Ｎは１つのページング周期における無線フレームの数を示し、「ｄｉｖ」は除算を示すならば、Ｔ ｄｉｖ ＮはＴ / Ｎを示し、ＵＥ＿ＩＤは、配置されたＩＭＳＩについての１０２４の余剰を示し、「ｍｏｄ」は余剰演算を示すならば、ＵＥ＿ＩＤ ｍｏｄ ＮはＵＥ＿ＩＤをＮで除算した余りを示す。ｉ＿sはページングフレーム、Ｎｓは１つの無線フレームにおいてページングメッセージを伝送するサブフレームの数である。
【００６９】
ここで、設定可能なＩＭＳＩのフルセットは、当該ＵＥが設定可能な全てのＩＭＳＩを指し、例えば、当該ＵＥが割り当て可能なＩＭＳＩが１０２４個、それぞれ１０００００００-１０００１０２３である場合、当該設定可能なＩＭＳＩのフルセットは１０００００００-１０００１０２３であり、なお、上記ＩＭＳＩは、単に例示的な例であり、実際のＩＭＳＩは、通常、１１〜１５ケタの十進数からなる。任意選択で、ページング周期は、最大ページング周期である２５６無線フレーム(ｒａｄｉｏ  ｆｒａｍｅ)の期間であり、ページング周期の数は、ページング周期の数の最小値、即ちページング周期の時間の１/１６である。前記ページング伝送情報の式に前記１０２４個のＩＭＳＩ、ページング周期及びページング周期の数を代入して１０２４個のＰＯ及びＰＦを得ることができ、このアルゴリズムを用いて複数のページング伝送情報を算出するが、ページング伝送情報の時間間隔が長く、即ちＰＯが出現する頻度が低いため、中継ＵＥがページングメッセージをリッスンするエネルギー消費を効果的に低減することができる。
【００７０】
第３の実現方式は、基地局が、予め構成されたＩＭＳＩに基づいて、遠端ＵＥのページング伝送情報を算出する。
【００７１】
任意選択で、ネットワーク側の管理装置が、ＩＭＳＩを予め設定して基地局に送信するようにしてもよく、例えば、基地局があるシステムがＬＴＥシステムである場合には、上記管理装置はＭＭＥとなる。具体的には、ネットワーク側が、高レイヤシグナリング又は別途に構成されたシグナリングを介して、このＩＭＳＩを基地局に送信し、基地局が、このＩＭＳＩを保存し、遠端ＵＥのページング伝送情報を計算する必要があるときに抽出することができる。なお、上記ＩＭＳＩは、通信システムのネットワーク構成の際に基地局に配置されてもよい。
【００７２】
本発明の実施例において、予め構成されたＩＭＳＩは、通常、固定されたものであり、これは、中継ＵＥの個々のＩＭＳＩ及び遠端ＵＥの個々のＩＭＳＩとは独立しており、即ち、ＩＭＳＩの取得は、ある中継ＵＥのＩＭＳＩ及びある遠端ＵＥのＩＭＳＩに対するものではない。予め構成されたＩＭＳＩは、ネットワーク側が、配置可能なＩＭＳＩのフルセットからランダムに選択した少なくとも１つのＩＭＳＩであってもよいし、予め構成されたルールに従って、配置可能なＩＭＳＩのフルセットから選択した少なくとも１つのＩＭＳＩであってもよいし、ネットワーク側が、先に、配置可能なＩＭＳＩのフルセットから選択した複数のＩＭＳＩの候補であって、基地局がランダムに選択したり、又は、事前設定ルールに従って、当該複数のＩＭＳＩの候補から選択した少なくとも１つのＩＭＳＩであってもよい。
【００７３】
以上のような複数のページング伝送情報の算出処理は、第２の実現方式のように、予め構成されたＩＭＳＩを上記ページング伝送情報の式に代入してＰＯ及びＰＦを求めることにより実現できる。従って、本発明の実施例についての詳細な説明は省略する。
【００７４】
ステップ２０３において、基地局は、２つのセットのページング伝送情報に基づいて、中継ＵＥにページングメッセージを送信する。
【００７５】
本発明の実施例では、図２-２に示すように、２つのセットのページング伝送情報に基づいて、中継ＵＥにページングメッセージを送信することは、ステップ２０３１〜ステップ２０３２を含む。
【００７６】
ステップ２０３１において、基地局は、２つのセットのページング伝送情報から、ターゲットＵＥのページング伝送情報を確定し、当該ターゲットＵＥは、中継ＵＥ及び/又は遠端ＵＥを含む。
【００７７】
実際の応用では、基地局は、具体的なシーンに応じてターゲットＵＥを確定する必要があり、さらに、ページング伝送情報を確定し、確定されたページング伝送情報に基づいてページングメッセージの送信を行う。例えば、ネットワーク側が中継ＵＥとデータ送受信を行う必要がある場合、中継ＵＥをターゲットＵＥとして確定し、その中継ＵＥのページング伝送情報をターゲットＵＥのページング伝送情報として確定する。ネットワーク側が、遠端ＵＥとのデータ送受信を行う必要がある場合、遠端ＵＥをターゲットＵＥとして確定し、その遠端ＵＥのページング伝送情報をターゲットＵＥのページング伝送情報として確定する。ネットワーク側が、中継ＵＥ及び遠端ＵＥの両方とデータ送受信を行う必要がある場合、中継ＵＥ及び遠端ＵＥの両方をターゲットＵＥとして確定し、中継ＵＥのページング伝送情報及び遠端ＵＥのページング伝送情報をターゲットＵＥのページング伝送情報として確定する。それに対応し、ページングメッセージには、ＵＥ  ＩＤリストが含まれてもよく、このＵＥ  ＩＤリストには、上記ターゲットＵＥのＩＤが含まれてもよい。
【００７８】
ステップ２０３２において、基地局は、ターゲットＵＥのページング伝送情報に基づいて、ページングメッセージを中継ＵＥに送信する。
【００７９】
ターゲットＵＥが中継ＵＥを含む場合、基地局は、中継ＵＥのページング伝送情報基づいて、ページングメッセージを中継ＵＥに送信することができ、例えば、ページング伝送情報がページングメッセージの伝送位置であるサブフレームの位置を示し、基地局は、中継ＵＥのページング伝送情報によって示されるサブフレームにおいて、ページングメッセージを中継ＵＥに送信する。本発明の実施例についての詳細な説明は省略する。
【００８０】
基地局は、ターゲットＵＥが遠端ＵＥを含む場合、遠端ＵＥのページング伝送情報に基づいて、ページングメッセージを中継ＵＥに送信し、遠端ＵＥのページング伝送情報が１つのページング伝送情報を含む場合、すなわち、ページング伝送情報によって示されるサブフレームにおいて、ページングメッセージを中継ＵＥに送信する。
【００８１】
前記遠端ＵＥのページング伝送情報が複数のページング伝送情報を含む場合に、前記ターゲットＵＥのページング伝送情報に基づいて前記中継ＵＥにページングメッセージを送信することは、以下のステップを含む。
【００８２】
ステップｘにおいて、基地局は、遠端ＵＥのページング伝送情報から１つのターゲットページング伝送情報を選択する。
【００８３】
例として、基地局は、中継ＵＥと予め定められた選択方式に基づいて、遠端ＵＥのページング伝送情報から１つのターゲットページング伝送情報を選択することができる。具体的な手順は以下の通りである。
【００８４】
第１の方式では、基地局は、遠端ＵＥのページング伝送情報から、１つのページング伝送情報をターゲットページング伝送情報としてランダムに選択する。
【００８５】
第２の方式では、基地局は、遠端ＵＥのＩＭＳＩから、参照ページング伝送情報を算出し、遠端ＵＥのページング伝送情報から、前記参照ページング伝送情報に最も近い１つの前記ページング伝送情報を前記ターゲットページング伝送情報として選択する。
【００８６】
前記遠端ＵＥのＩＭＳＩは、特定のＩＭＳＩであり、基地局がデータ送受信を行う必要があるターゲットＵＥのＩＭＳＩである。当該参照ページング伝送情報のアルゴリズムは、上述のステップ２０２の第２の態様の第２の実現方式によって提供されるページング伝送情報の計算式を参照してもよい。
【００８７】
任意選択で、遠端ＵＥのページング伝送情報の各ページング伝送情報を参照ページング伝送情報と順次に比較して、参照ページング伝送情報に最も近い１つのページング伝送情報をターゲットページング伝送情報として選択して確定する。１つの参照ページング伝送情報はＰＯ及びＰＦの情報を含み得るので、通常は、まず、遠端ＵＥのページング伝送情報の各ＰＦを参照ページング伝送情報のＰＦと比較して最も近い少なくとも１つのＰＦを確定し、更に、該少なくとも１つのＰＦが位置するページング伝送情報内の各ＰＯを参照ページング伝送情報のＰＯと比較して最も近いＰＯを確定し、該最も近いＰＯが位置するページング伝送情報をターゲットページング伝送情報として確定する。
【００８８】
例えば、参照ページング伝送情報が、表１に示されるように、そのＰＦが１、すなわち、第１の無線フレームであり、そのＰＯが２、すなわち、第２のサブフレームであると仮定する。遠端ＵＥのページング伝送情報は、第１のページング伝送情報、第２のページング伝送情報及び第３のページング伝送情報を含み、その具体的な情報内容は、表１を参照して、まず、第１〜第３のページング伝送情報のＰＦを参照ページング伝送情報のＰＦと比較し、第１のページング伝送情報及び第２のページング伝送情報のＰＦと参照ページング伝送情報のＰＦとが等しいことを確定し、即ち、最も近く、更に、第１のページング伝送情報及び第２のページング伝送情報のＰＯを参照ページング伝送情報のＰＯと比較し、第１のページング伝送情報のＰＯと参照ページング伝送情報のＰＯとが最も近いことを確定し、そして、ターゲットページング伝送情報は、第１のページング伝送情報であり、そのＰＦが２であり、ＰＯが２であり、即ち、ターゲットページング伝送情報によって示される位置は、第２の無線フレームの第２のサブフレームである。
【表１】
2020519069.tif 000016
なお、上述したページング伝送情報の確定方式は、例示的に説明したものであり、実際の応用では、例えば、基地局が、更に、カスタムルールに従ってターゲットページング伝送情報を確定し、該カスタムルールを中継ＵＥに通知し、或いは、基地局と中継ＵＥが、参照ページング伝送情報を約束し、遠端ＵＥのページング伝送情報から、参照ページング伝送情報に最も近い１つのページング伝送情報を、ターゲットページング伝送情報として選択するの等の様々な方法が考えられる。本発明の実施例についての詳細な説明は省略する。
【００８９】
ステップｙにおいて、ターゲットページング伝送情報によって示されるサブフレームにおいて、遠端ＵＥのページングメッセージを中継ＵＥに送信する。
【００９０】
例えば、ターゲットページング伝送情報においてＰＦが２であり、ＰＯが２である場合、第２の無線フレームの第２サブフレームにおいて、当該遠端ＵＥのページングメッセージを送信する。
【００９１】
ステップ２０４において、中継ＵＥは、２つのセットのページング伝送情報を取得する。
【００９２】
前記２つのセットのページング伝送情報は、中継ＵＥのページング伝送情報と、前記遠端ＵＥのページング伝送情報とを含み、当該ページング伝送情報は、ページングメッセージの伝送位置を示す。この２つのセットのページング伝送情報は、上記ステップ２０２における２つのセットのページング伝送情報と同じである。
【００９３】
本発明の実施例において、２つのセットのページング伝送情報は、中継ＵＥのページング伝送情報と、遠端ＵＥのページング伝送情報とを含み、当該ページング伝送情報は、ページングメッセージの伝送位置を示し、当該ページング伝送情報は、ＰＦ及びＰＯの情報を含み得る。ここで、ＰＦは、ページングメッセージを送信する無線フレームを指示するものであり、このＰＦは、少なくとも１つのページング時刻を含み、その単位は、１０ｍｓであり、ＰＯは、ページングメッセージを送信するサブフレームを指示するものであり、その単位は、１ｍｓである。
【００９４】
ここで、中継ＵＥが２つのセットのページング伝送情報を取得する方法は、主に以下の２つ形態を含む。
【００９５】
第１の態様では、中継ＵＥは、中継ＵＥのページング伝送情報を取得する。
【００９６】
中継ＵＥが自身のページング伝送情報を取得する方法は、従来の中継ＵＥのページング伝送情報の取得方法、例えば、通信規格ＴＳ３６.３０４の章７.１に規定された内容を参照して、当該中継ＵＥのＩＭＳＩに基づいて中継ＵＥのページング伝送情報を算出してもよいし、以下の第２の態様において遠端ＵＥのページング伝送情報を取得する方法を参照してもよく、本発明の実施例はこれに関する説明を省略する。
【００９７】
第２の態様では、中継ＵＥは、遠端ＵＥのページング伝送情報を取得する。
【００９８】
中継ＵＥが遠端ＵＥのページング伝送情報を取得することは、様々な可能な方式があり、本発明の実施例は、以下の３つの実現方式を例として説明する。
【００９９】
第１の実現方式では、中継ＵＥは、予め定められた遠端ＵＥのページング伝送情報を取得する。
【０１００】
任意選択で、基地局は、予め、遠端ＵＥのページング伝送情報を設定し、中継ＵＥに送信することができ、具体的には、基地局は、システム情報、無線リソース制御シグナリング等の上位レイヤシグナリング又は物理レイヤシグナリング等を介して、遠端ＵＥのページング伝送情報を中継ＵＥに送信し、例えば、中継ＵＥは、基地局により送信されたシステム情報ブロック(Ｓｙｓｔｅｍ  Ｉｎｆｏｒｍａｔｉｏｎ  Ｂｌｏｃｋｓ：ＳＩＢｓ)に含まれる情報から、ＰＣＣＨページング制御チャネル(Ｐａｇｉｎｇ  Ｃｏｎｔｒｏｌ  Ｃｈａｎｎｅｌ：ＰＣＣＨ)の基本構成情報を取得し、基本構成情報は、予め構成された遠端ＵＥのページング伝送情報を含み、例えば、ＳＩＢ２のページング制御チャネル−構成(Ｐａｇｉｎｇ  Ｃｏｎｔｒｏｌ  Ｃｈａｎｎｅｌ−ｃｏｎｆｉｇ：ＰＣＣＨ−ｃｏｎｆｉｇ)情報に含まれる内容から、予め構成された遠端ＵＥのページング伝送情報を取得し、中継ＵＥは、その遠端ＵＥのページング伝送情報を保存し、使用が必要な場合に抽出する。中継ＵＥが予め構成された遠端ＵＥのページング伝送情報を取得する手順は、すなわち、該遠端ＵＥのページング伝送情報を抽出する手順である。なお、上述した遠端ＵＥのページング伝送情報は、中継ＵＥ出荷時にプロトコルに従って配置されてもよいし、ネットワーク側が他の方式で中継ＵＥに配置されてもよいし、人工配置等で中継ＵＥに配置されてもよいし、本発明の実施例は、基地局側に配置された遠端ＵＥのページング伝送情報と同一であることが保証されていれば、これに限定されない。
【０１０１】
第２の実現方式では、中継ＵＥは、予め構成された構成パラメータに従って、遠端ＵＥのページング伝送情報を算出する。
【０１０２】
任意選択で、基地局は、構成パラメータを予め設定し、中継ＵＥに送信することができる。具体的には、ネットワーク側は、システム情報、無線リソース制御シグナリングなどの上位レイヤシグナリング、または物理層シグナリングなどを介して、この構成パラメータを基地局に送信することができ、例えば、中継ＵＥは、基地局により送信されたＳＩＢｓに含まれる情報からＰＣＣＨの基本構成情報を取得し、その基本構成情報は、予め構成された遠端ＵＥの構成パラメータを含み、例えば、ＳＩＢ２におけるＰＣＣＨ−ｃｏｎｆｉｇ情報に含まれる内容から、予め構成された構成パラメータを確定することができる。中継ＵＥは、構成パラメータを保存し、遠端ＵＥのページング伝送情報を計算する必要があるときに抽出する。なお、構成パラメータは、ページング周期及びページング周期の数を含んでもよい。なお、上記構成パラメータは、プロトコルに応じて中継ＵＥの出荷時にその中に配置されてもよいし、ネットワーク側が他の方式で中継ＵＥに配置してもよいし、人工配置等で中継ＵＥに配置してもよいし、本発明の実施例は、基地局側が配置した構成パラメータと同一であることが保証されていれば、これに限定されない。
【０１０３】
本発明の実施例において、遠端ＵＥのページング伝送情報は、複数のページング伝送情報を含み得る。任意選択で、中継ＵＥは、予め構成された構成パラメータ及び設定可能なＩＭＳＩのフルセットを取得し、構成パラメータ及び設定可能なＩＭＳＩのフルセットから、ページング周期及びページング周期の数を含む上記複数のページング伝送情報をそれぞれ算出する。この計算プロセスは、上記ステップ２０２の第２の態様の第２の実現方式における基地局による複数のページング伝送情報を計算するプロセスを参照し、中継ＵＥ及び基地局の計算プロセスは、同じ方法でページングメッセージの送受信の整合性を保証する。
【０１０４】
第３の実現方式では、中継ＵＥは、予め構成されたＩＭＳＩに従って、遠端ＵＥのページング伝送情報を算出する。
【０１０５】
任意選択で、基地局は、ＩＭＳＩを予め構成し中継ＵＥに送信することができ、具体的には、基地局は、システム情報、上位レイヤシグナリング(例えば、無線リソース制御シグナリングなど)、または物理層シグナリングなどを介して、中継ＵＥにＩＭＳＩを送信することができ、例えば、中継ＵＥは、基地局により送信されたＳＩＢｓに含まれる情報から、ＰＣＣＨの基本構成情報を取得し、当該基本構成情報は、予め構成されたＩＭＳＩを含み、例えば、ＳＩＢ２中のＰＣＣＨ−ｃｏｎｆｉｇ情報に含まれる内容から、予め構成されたＩＭＳＩを確定することができる。中継は、そのＩＭＳＩを保存し、遠端ＵＥのページング伝送情報を計算する必要があるときに抽出する。なお、上記の予め構成されたＩＭＳＩは、プロトコルに応じて中継ＵＥの出荷時に配置されてもよいし、ネットワーク側が他の方式で中継ＵＥに配置されてもよいし、人工配置等で中継ＵＥに配置されてもよいし、本発明の実施例は、基地局側で配置された構成パラメータと同一であることが保証されていれば、これに限定されない。
【０１０６】
本発明の実施例において、予め構成されたＩＭＳＩは、通常、固定されたものであり、これは、中継ＵＥの個々のＩＭＳＩ及び遠端ＵＥの個々のＩＭＳＩとは独立しており、即ち、ＩＭＳＩの取得は、ある中継ＵＥのＩＭＳＩ及びある遠端ＵＥのＩＭＳＩに対するものではない。予め構成されたＩＭＳＩは、ネットワーク側が、配置可能なＩＭＳＩのフルセットからランダムに選択した少なくとも１つのＩＭＳＩであってもよいし、予め構成されたルールに従って、配置可能なＩＭＳＩのフルセットから選択した少なくとも１つのＩＭＳＩであってもよいし、ネットワーク側が、先に、配置可能なＩＭＳＩのフルセットから選択した複数のＩＭＳＩの候補であって、基地局がランダムに選択したり、或いは、予め構成されたルールに従って、当該複数のＩＭＳＩの候補から選択した少なくとも１つのＩＭＳＩであってもよい。基地局は、該ＩＭＳＩを取得した後に中継ＵＥに伝送し、基地局がどのように予め構成された該ＩＭＳＩを取得しても、予め構成されたＩＭＳＩを中継ＵＥに伝送し、ＵＥが基地局と同じ計算プロセスを用いてページング伝送情報を計算して得ることが保証さればよい。
【０１０７】
このページング伝送情報の計算プロセスは、上記ステップ２０２の第２の態様の第３の実現方式における基地局が複数のページング伝送情報を計算する手順を参照し、中継ＵＥ及び基地局の計算プロセスは同じであり、ページングメッセージの送受信の整合性を保証する。
【０１０８】
ステップ２０５において、中継ＵＥは、２つのセットのページング伝送情報に基づいて基地局により送信されたページングメッセージを受信する。
【０１０９】
中継ＵＥは、中継ＵＥのページング伝送情報に基づいて、基地局により送信されたページングメッセージを受信し、例えば、ページング伝送情報によって示されるページングメッセージの伝送位置がサブフレームの位置である場合、中継ＵＥは、中継ＵＥのページング伝送情報によって示されるサブフレーにおいて基地局により送信されたページングメッセージを受信する。本発明の実施例についての詳細な説明は省略する。
【０１１０】
遠端ＵＥは、基地局及び中継ＵＥが取得した遠端ＵＥのページング伝送情報の内容が同じであるので、基地局が遠端ＵＥのページング伝送情報においてターゲットページング伝送情報の選択を行っているか否かに関わらず、その送信されるページングメッセージは、遠端ＵＥのページング伝送情報によって示される伝送位置の範囲内にあり、そして、中継ＵＥは、基地局が送信したページングメッセージを受信するために、遠端ＵＥのページング伝送情報によって示される全てのサブフレームをリッスンすることができる。このリッスン方式を採用することにより、ページングメッセージの効率的な受信を保証することができる。
【０１１１】
上記のリッスン方式を採用することで、基地局と中継ＵＥは、選択方式を予め約束する必要がなくなり、シグナリング、人工配置、又は他の方式で当該選択方式を配置する手順を減らすことができる。
【０１１２】
なお、基地局と中継ＵＥが予め約束した選択方式は、基地局が遠端ＵＥのページング伝送情報から１つのページング伝送情報をターゲットページング伝送情報としてランダムに選択することである場合、中継ＵＥも上記リッスン方式を採用する。
【０１１３】
一方、中継ＵＥは、遠端ＵＥのページング伝送情報から１つのターゲットページング伝送情報を選択し、ターゲットページング伝送情報によって示されるサブフレームに基づいて、基地局により送信されたページングメッセージを受信するためのリッスンが行われる。
【０１１４】
ここで、中継ＵＥは、基地局と予め約束した選択方式に基づいて、遠端ＵＥのページング伝送情報から１つのターゲットページング伝送情報を選択してよい。
【０１１５】
具体的には、中継ＵＥは、遠端ＵＥのＩＭＳＩに従って、参照ページング伝送情報を算出することができ、遠端ＵＥのページング伝送情報から、前記参照ページング伝送情報に最も近い１つのページング伝送情報をターゲット前記ページング伝送情報として選択する。前記遠端ＵＥのＩＭＳＩは、特定のＩＭＳＩであり、中継ＵＥに現在接続している遠端ＵＥのＩＭＳＩである。当該参照ページング伝送情報のアルゴリズムは、上述のステップ２０２の第２の態様の第２の実現方式によって提供されるページング伝送情報の計算式を参照してもよい。遠端ＵＥのページング伝送情報から、参照ページング伝送情報に最も近い１つのページング伝送情報をターゲットページング伝送情報として選択する具体的な手順は、上記ステップ２０３２の第２の形態を参照し、本発明の実施例ではその説明を省略する。
【０１１６】
なお、上述したページング伝送情報の確定方法は、概略的に説明したものであり、実際の応用では様々な方法が考えられ、例えば、中継ＵＥは、基地局から予め中継ＵＥに通知された基地局のカスタムルールに従って、ページング伝送情報を確定するか、又は、基地局と中継ＵＥとが参照ページング伝送情報を約束し、遠端ＵＥのページング伝送情報から、参照ページング伝送情報に最も近い１つのページング伝送情報をターゲットページング伝送情報として選択する。本発明の実施例についての詳細な説明は省略する。
【０１１７】
なお、ページングメッセージにはＵＥ  ＩＤのリストが含まれるので、中継ＵＥが１つの伝送位置でページングメッセージをリッスンして見つける場合、自身のＩＤ及び現在接続している遠端ＵＥのＩＤを両方ともＵＥ  ＩＤリストとマッチングし、自身のＩＤがマッチングされた場合、当該ページングメッセージに従って後続の動作を実行し、接続している遠端ＵＥのＩＤがマッチングされた場合、ページングメッセージを対応する遠端ＵＥに送信し、現在のリッスンする伝送位置が、中継ＵＥのページング伝送情報によって示される伝送位置であるか、又は遠端ＵＥのページング伝送メッセージによって示される伝送位置であるかを考慮しなくてもよい。
【０１１８】
従来のＦｅＤ２Ｄ通信技術では、基地局は、中継ＵＥのＩＭＳＩに従ってページング伝送情報を計算し、ページング伝送情報に基づいてページングメッセージを中継ＵＥに送信し、中継ＵＥは、ページング伝送情報によって示されるサブフレームをリッスンすればよく、遠端ＵＥに対するページングメッセージを受信すると、ページングメッセージを遠端ＵＥに転送する。しかしながら、中継ＵＥが当該ページングメッセージを取得した後に当該ページングメッセージを遠端ＵＥに転送できることを保証するためには、中継ＵＥは、中継ＵＥと遠端ＵＥの接続状態をリアルタイムに報告する必要があり、即ち、接続状態の変化毎に基地局を報告する必要があるため、ネットワークのシグナリングオーバーヘッドが大きくなる。
【０１１９】
本発明の実施例に係るメッセージ伝送方法は、基地局が、２つのセットのページング伝送情報を取得し、それぞれ、中継ＵＥのページング伝送情報及び遠端ＵＥのページング伝送情報であり、基地局が中継ＵＥとのデータ送受信を行う必要がある場合、中継ＵＥのページング伝送情報に基づいて、ページングメッセージを中継ＵＥに送信し、基地局が遠端ＵＥとのデータ送受信を行う必要がある場合、遠端ＵＥのページング伝送情報に基づいて、ページングメッセージを中継ＵＥに送信することにより、中継ＵＥと遠端ＵＥとの接続状態を考慮する必要がなく、従って、ネットワークのシグナリングオーバーヘッドを低減する。
【０１２０】
さらに、本発明の実施例において、遠端ＵＥのページング伝送情報は、ある遠端ＵＥに対して計算されるのもではなく、単体の遠端ＵＥから独立しており、広い概念であると認められ、あるカテゴリの遠端ＵＥに対するものであり、即ち、当該遠端ＵＥのページング伝送情報は、基地局によってサービス提供する全ての遠端ＵＥに対するものであり、又は、当該遠端ＵＥのページング伝送情報は、同一のＴＡＣ下の全ての遠端ＵＥに対するものであり、又は、当該遠端ＵＥのページング伝送情報は、同一の通信システム下の全ての遠端ＵＥに対するものである。
【０１２１】
図２−３に示すように、図２−３は通信システムの構造図であり、当該通信システムにおいて、中継ＵＥ１２１、中継ＵＥ１２３、および中継ＵＥ１２５がいずれも基地局１１と無線接続を確立し、中継ＵＥ１２１の下に遠端ＵＥ１２２が接続され、中継ＵＥ１２３の下に遠端ＵＥ１２４が接続され、中継ＵＥ１２５の下に遠端ＵＥ１２６が接続された。中継ＵＥ１２１、中継ＵＥ１２３、及び中継ＵＥ１２５はそれぞれ、自身に対するページング伝送情報と、遠端ＵＥに対するページング伝送情報との２つのセットのページング伝送情報取得することができ、それぞれ取得した自身に対するページング伝送情報の取得が異なる可能性があり、その取得方法は、従来技術を参照しており、それぞれ取得した遠端ＵＥに対するページング伝送情報は、同じであってもよい。例えば、上記ステップ２０２において、ページング伝送情報は、第２の態様の第１〜第３の実現方式を用いて確定され、遠端ＵＥのページング伝送情報が予め決められているか、構成パラメータが予め決められているか、又はＩＭＳＩが予め構成されているため、これらの構成は、コアネットワークのようなネットワーク側によって基地局及び中継ＵＥに対して構成されてもよい。したがって、予め構成された内容に基づいて、同じ遠端ＵＥのページング伝送情報をそれぞれ算出することができる。このように、各中継ＵＥの下にどのぐらいの遠端ＵＥが接続されているかに関わらず、それは、遠端ＵＥのページング伝送情報によって示される伝送位置においてリッスンを行う。また、遠端ＵＥのページング伝送情報が複数のページング伝送情報を含む場合、各中継ＵＥは複数の伝送位置を取得することができ、各ＵＥは、該複数の伝送位置の全てをリッスンしてもよいし、予め構成されたルールに従って選択してリッスンしてもよい。いずれの場合も、中継ＵＥは、遠端ＵＥとの接続状態を基地局に報告する必要がない。
【０１２２】
従来のＦｅＤ２Ｄ通信技術では、基地局は、自身が接続する遠端ＵＥのＩＭＳＩに従ってページング伝送情報を計算し、該ページング伝送情報に基づいてページングメッセージを中継ＵＥに送信することもできる。中継ＵＥは、ｒｅｌａｙ  ＵＥ自身及びｒｅｍｏｔｅ  ＵＥを含むＰＯ、ＰＦをリッスンして、両方のページングメッセージを取得する必要がある。
【０１２３】
図２−４に示すように、図２−４は通信システムの構造図であり、中継ＵＥ１２１と基地局１１とが無線接続を確立し、中継ＵＥ１２１の下に、遠端ＵＥ１２２、遠端ＵＥ１２８、及び遠端ＵＥ１２９が接続されている。従来のＦｅＤ２Ｄ通信技術において、中継ＵＥ１２１は、遠端ＵＥ１２２、遠端ＵＥ１２８、及び遠端ＵＥ１２９のそれぞれについてページング伝送情報を計算して３つのページング伝送情報を取得し、この３つのページング伝送情報及び自身のページング伝送情報の計４つのページング伝送情報に基づいてページングメッセージのリッスンを行う必要がある。
【０１２４】
本発明の実施例において、中継ＵＥ１２１は、２つのセットのページング伝送情報を取得するだけでよく、ここで、遠端ＵＥのページング伝送情報の範囲は固定され、即ち、遠端ＵＥ１２２、遠端ＵＥ１２８及び遠端ＵＥ１２９に対応する１つのセットの遠端ＵＥのページング伝送情報は同じであり、中継ＵＥ１２１は、１セットの遠端ＵＥのページング伝送情報によって示される１つ又は複数の伝送位置と、自身のページング伝送情報によって示される伝送位置とをリッスンすればよい。特に、中継ＵＥ１２１の下に接続された遠端ＵＥが多い場合、例えば、遠端ＵＥが百千である場合、従来のＦｅＤ２Ｄ通信技術では、中継ＵＥはこれらの伝送位置をリッスンする必要があり、消費電力が大きいが、本発明の実施例では、中継ＵＥは、取得された遠端ＵＥのページング伝送情報によって示された１つ以上の伝送位置と、自身のページング伝送情報によって示された伝送位置とをリッスンすればよく、消費電力を効果的に低減することができる。
【０１２５】
以上のように、本発明の実施例が提供するメッセージ伝送方法は、基地局が、２つのセットのページング伝送情報を取得し、それぞれ、中継ＵＥのページング伝送情報及び遠端ＵＥのページング伝送情報であり、基地局が中継ＵＥとデータ送受信を行う必要がある場合、中継ＵＥのページング伝送情報に基づいて、ページングメッセージを中継ＵＥに送信し、基地局が遠端ＵＥとデータ送受信を行う必要がある場合、遠端ＵＥのページング伝送情報に基づいて、ページングメッセージを中継ＵＥに送信し、中継ＵＥと遠端ＵＥとの接続状態を考える必要がなく、中継ＵＥは、該２つのセットのページング伝送情報に基づいて、基地局が送信するページングメッセージを受信するだけでよく、自身が何個の遠端ＵＥに接続しているかを考慮する必要がないため、ネットワークのシグナリングオーバーヘッドが低減され、中継ＵＥの消費電力も低減される。
【０１２６】
図３-１は、例示的な実施例に係る、基地局に応用されるメッセージ伝送装置３０のブロック図であり、図３-１に示すように、装置３０は、取得モジュール３０１及び送信モジュール３０２を含む。
【０１２７】
取得モジュール３０１は、中継ＵＥが基地局と遠端ＵＥとの間の中継装置である中継ＵＥのページング伝送情報と、遠端ＵＥのページング伝送情報とを含む２つのセットのページング伝送情報を取得し、前記ページング伝送情報は、ページングメッセージの伝送位置を示す。
【０１２８】
送信モジュール３０２は、２つのセットのページング伝送情報に基づいて、ページングメッセージを中継ＵＥに送信するように構成される。
【０１２９】
任意選択で、図３-２は、例示的な実施例に係る送信モジュール３０２のブロック図であり、図３-２に示すように、送信モジュール３０２は、情報取得サブモジュール３０２１及び送信サブモジュール３０２２を含む、
情報取得サブモジュール３０２１は、前記２つのセットのページング伝送情報から、前記中継ＵＥ及び/又は前記遠端ＵＥを含むターゲットＵＥのページング伝送情報を確定するように構成される。
【０１３０】
送信サブモジュール３０２２は、ターゲットＵＥのページング伝送情報に基づいて、ページングメッセージを中継ＵＥに送信するように構成される。
【０１３１】
任意選択で、前記遠端ＵＥのページング伝送情報は、複数のページング伝送情報を含み、前記送信サブモジュール３０２２は、
前記ターゲットＵＥが遠端ＵＥを含む場合に、前記遠端ＵＥのページング伝送情報から１つのターゲットページング伝送情報を選択するように構成される選択サブモジュールと、
前記ターゲットページング伝送情報によって示されるサブフレームにおいて、前記中継ＵＥに前記遠端ＵＥのページングメッセージを送信するように構成されるメッセージ送信サブモジュールとを含む
任意選択で、前記選択サブモジュールは、
前記中継ＵＥと予め定められた選択方式に基づいて、前記遠端ＵＥのページング伝送情報から１つのターゲットページング伝送情報を選択するように構成される。
【０１３２】
任意選択で、前記選択サブモジュールは、
前記遠端ＵＥのページング伝送情報から１つのページング伝送情報を前記ターゲットページング伝送情報としてランダムに選択するように構成される。
【０１３３】
又は、選択サブモジュールは、
前記遠端ＵＥのＩＭＳＩに基づいて参照ページング伝送情報を算出し、
前記遠端ＵＥのページング伝送情報から、前記参照ページング伝送情報に最も近い１つのページング伝送情報を前記ターゲットページング伝送情報として選択するように構成される。
【０１３４】
任意選択で、取得モジュール３０１は、
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【０１３５】
任意選択で、取得モジュール３０１は、
前記中継ＵＥが送信した伝送モード変更シグナリングを受信した後に前記２つのセットのページング伝送情報を取得するように構成され、前記伝送モード変更シグナリングは、前記中継ＵＥが遠端ＵＥと接続を確立した後に送信したものである。
【０１３６】
任意選択で、前記ページング伝送情報は、ページング時刻及びページングフレームの情報を含む。
【０１３７】
以上のように、本発明の実施例が提供するメッセージ伝送装置は、基地局が、２つのセットのページング伝送情報を取得し、それぞれ、中継ＵＥのページング伝送情報及び遠端ＵＥのページング伝送情報であり、基地局が中継ＵＥとデータ送受信を行う必要がある場合、中継ＵＥのページング伝送情報に基づいて、ページングメッセージを中継ＵＥに送信し、基地局が遠端ＵＥとデータ送受信を行う必要がある場合、遠端ＵＥのページング伝送情報に基づいて、ページングメッセージを中継ＵＥに送信し、中継ＵＥと遠端ＵＥとの接続状態を考える必要がなく、中継ＵＥは、該２つのセットのページング伝送情報に基づいて、基地局が送信するページングメッセージを受信するだけでよく、自身が何個の遠端ＵＥに接続しているかを考慮する必要がないため、ネットワークのシグナリングオーバーヘッドが低減され、中継ＵＥの消費電力も低減される。
【０１３８】
図４-１は、例示的な実施例に係る、中継ＵＥに応用されるメッセージ伝送装置４０のブロック図であり、図４-１に示すように、装置４０は、取得モジュール４０１及び受信モジュール４０２を含む。
【０１３９】
取得モジュール４０１は、基地局と遠端ＵＥとの間の中継装置である中継ＵＥのページング伝送情報と、遠端ＵＥのページング伝送情報とを含む２つのセットのページング伝送情報を取得するように構成され、前記ページング伝送情報は、ページングメッセージの伝送位置を示す。
【０１４０】
受信モジュール４０２は、２つのセットのページング伝送情報に基づいて基地局により送信されたページングメッセージを受信するように構成される。
【０１４１】
任意選択で、受信モジュール４０２は、
前記２つのセットのページング伝送情報によって示される全てのサブフレームをリッスンして、前記基地局により送信されたページングメッセージを受信するように構成される。
【０１４２】
任意選択で、前記遠端ＵＥのページング伝送情報は、複数のページング伝送情報を含み、図４-２は、例示的な実施例によって示される受信モジュールのブロック図であり、図４-２に示されるように、前記受信モジュール４０２は、選択サブモジュール４０２１及びリッスンサブモジュール４０２２を含む。
【０１４３】
選択サブモジュール４０２１は、前記遠端ＵＥのページング伝送情報から１つのターゲットページング伝送情報を選択するように構成される。
【０１４４】
リッスンサブモジュール４０２２は、ターゲットページング伝送情報によって示されるサブフレームに基づいてリッスンを行って、基地局により送信されたページングメッセージを受信するように構成される。
【０１４５】
任意選択で、選択サブモジュール４０２１は、
前記基地局と予め定められた選択方式に基づいて、前記遠端ＵＥのページング伝送情報から１つのターゲットページング伝送情報を選択するように構成される。
【０１４６】
任意選択で、選択サブモジュール４０２１は、
前記遠端ＵＥのＩＭＳＩに基づいて参照ページング伝送情報を算出し、前記遠端ＵＥのページング伝送情報から、前記参照ページング伝送情報に最も近い１つのページング伝送情報を前記ターゲットページング伝送情報として選択するように構成される。
【０１４７】
任意選択で、取得モジュール４０１は、
予め確定された前記遠端ＵＥのページング伝送情報を取得し、
又は、
予め構成された構成パラメータに従って前記遠端ＵＥのページング伝送情報を算出し、
又は、
予め構成された国際移動体加入者識別符号ＩＭＳＩから、前記遠端ＵＥのページング伝送情報を算出するように構成される。
【０１４８】
図４-３は、例示的な実施例に係る、メッセージ伝送装置の他のブロック図であり、前記装置４０は、さらに、シグナリング伝送モジュール４０３を含む。
【０１４９】
シグナリング伝送モジュール４０３は、前記２つのセットのページング伝送情報を取得する前に、前記中継ＵＥが前記遠端ＵＥとの接続を確立した後に、伝送モード変更シグナリングを基地局に送信するように構成される。
【０１５０】
選択任意で、前記ページング伝送情報は、ページング時刻及びページングフレームの情報を含む。
【０１５１】
以上のように、本発明の実施例が提供するメッセージ伝送装置は、中継ＵＥが、２つのセットのページング伝送情報を取得し、それぞれ中継ＵＥのページング伝送情報及び遠端ＵＥのページング伝送情報であり、中継ＵＥのページング伝送情報に基づいて、基地局により送信されたページングメッセージを受信し、遠端ＵＥのページング伝送情報に基づいて、基地局により送信されたページングメッセージを受信することができ、中継ＵＥ及び遠端ＵＥの接続状態を考慮する必要がなく、且つ、中継ＵＥは、該２つのセットのページング伝送情報に基づいて基地局により送信されたページングメッセージを受信するだけでよく、自身が何個の遠端ＵＥに接続しているかを考慮する必要がないため、ネットワークのシグナリングオーバーヘッドが低減され、中継ＵＥの消費電力も低減される。
【０１５２】
本発明の実施例は、図５に示すように、上記の図３-１に示すメッセージ伝送装置４０を含む中継ＵＥ５０１と、遠端ＵＥ５０２と、基地局５０３と、を備えるメッセージ伝送システム５０を提供する。
【０１５３】
基地局５０３は、図４-１または図４-３に示されるメッセージ伝送装置５０を含み得る。
【０１５４】
図６は、本発明の実施例に係るメッセージ伝送装置６０の構成を示す図である。メッセージ伝送装置６０は、上記中継ＵＥ５０１または基地局５０３であってよく、プロセッサ６２とネットワークインタフェース６４とを含む。
【０１５５】
プロセッサ６２は、１つ以上の処理コアを含む。プロセッサ６２は、ソフトウェアプログラム及びモジュールを実行することにより、各種機能アプリケーション及びデータ処理を実行する。
【０１５６】
ネットワークインタフェース６４は複数であってもよく、他の記憶装置又はネットワークデバイスと通信するために用いられる。
【０１５７】
任意選択で、メッセージ伝送装置６０は、メモリ６６、バス６８などの構成要素をさらに含む。ここで、メモリ６６とネットワークインタフェース６４は、それぞれバス６８を介してプロセッサ６２に接続されている。
【０１５８】
メモリ６６は、ソフトウェアプログラム及びモジュールを記憶するために使用され得る。具体的には、メモリ６６は、オペレーティングシステム６６２、少なくとも１つの機能に必要なアプリケーションモジュール６６４を記憶し得る。オペレーティングシステム６６２は、リアルタイムオペレーティングシステム(Ｒｅａｌ  Ｔｉｍｅ  ｅＸｅｃｕｔｉｖｅ：ＲＴＸ)、ＬＩＮＵＸ、ＵＮＩＸ、ＷＩＮＤＯＷＳ、又はＯＳＸなどのオペレーティングシステムであってもよい。
【０１５９】
いくつかの実施例において、メッセージ伝送装置６０が基地局５０３である場合、ネットワークインタフェース６４は送受信アンテナ(送信機および受信機でもよい)であってもよく、メモリ６６に記憶されたアプリケーションモジュール６６４は、上記のステップ２０２、ステップ２０３などのステップを実行することができる。
【０１６０】
メッセージ伝送装置６０が中継ＵＥ５０１である場合、ネットワークインタフェース６４は送受信アンテナ(送信機および受信機でもよい)であってもよく、メモリ６６に記憶されたアプリケーションモジュール６６４は、上記のステップ２０１、ステップ２０４、ステップ２０５などのステップを実行することができる。
【０１６１】
例示的な実施例では、本発明の実施例は、例えば、上述したメッセージ伝送方法を達成するためにメッセージ伝送装置６０のプロセッサ６２によって実行可能な命令を含むメモリ６６などの命令を含む非一時的コンピュータ可読記憶媒体をさらに提供する。例えば、非一時的コンピュータ可読記憶媒体は、ＲＯＭ、ランダムアクセスメモリ(ＲＡＭ)、ＣＤ−ＲＯＭ、磁気テープ、フロッピーディスク、及び光データ記憶デバイス等であってもよい。
【０１６２】
説明の便宜及び簡潔さのために、上記で説明したシステム、装置及びモジュールの具体的な動作プロセスは、前述の方法の実施例における対応するプロセスを参照してもよく、ここでその説明が省略されることは、当業者が明確に理解するものである。
【０１６３】
本発明の実施例における「及び/又は」という用語は、単に関連オブジェクトを記述する関連関係の１つであり、Ａ及び/又はＢの３種類の関係が存在し得ることを意味し、Ａのみ、ＡとＢが同時に存在すること、Ｂのみが存在することの３種類の場合が存在し得ることを意味する。なお、本文中の「/」の文字は、前後の関連オブジェクトが一種の「または」の関係であることを一般的に示す。
【０１６４】
当業者であれば、上述の実施例を実現することの全部または一部は、ハードウェアによって、または、コンピュータ可読記憶媒体に記憶され得るプログラム命令に関連するハードウェアによって、達成され得ることが理解され、上述の記憶媒体は、読み取り専用メモリ、磁気ディスク、または光ディスクなどであり得る。
【手続補正２】
【補正対象書類名】特許請求の範囲
【補正対象項目名】全文
【補正方法】変更
【補正の内容】
【特許請求の範囲】
【請求項１】
基地局に応用されるメッセージ伝送方法であって、
前記基地局と遠端ＵＥとの間の中継装置である中継ＵＥのページング伝送情報と、遠端ＵＥのページング伝送情報とを含む２つのセットのページング伝送情報を取得することと、
２つのセットのページング伝送情報に基づいて、中継ＵＥにページングメッセージを送信することとを含み、
前記ページング伝送情報は、ページングメッセージの伝送位置を示す
ことを特徴とするメッセージ伝送方法。
【請求項２】
前記２つのセットのページング伝送情報に基づいて、前記中継ＵＥにページングメッセージを送信することは、
前記２つのセットのページング伝送情報から、前記中継ＵＥ及び/又は前記遠端ＵＥを含むターゲットＵＥのページング伝送情報を確定することと、
前記ターゲットＵＥのページング伝送情報に基づいて、前記中継ＵＥにページングメッセージを送信することとを含む
ことを特徴とする請求項１に記載のメッセージ伝送方法。
【請求項３】
前記遠端ＵＥのページング伝送情報は、複数のページング伝送情報を含み、
前記ターゲットＵＥのページング伝送情報に基づいて、前記中継ＵＥにページングメッセージを送信することは、
前記ターゲットＵＥが遠端ＵＥを含む場合、前記遠端ＵＥのページング伝送情報から１つのターゲットページング伝送情報を選択することと、
前記ターゲットページング伝送情報によって示されるサブフレームにおいて、前記中継ＵＥに前記遠端ＵＥのページングメッセージを送信することとを含む
ことを特徴とする請求項２に記載のメッセージ伝送方法。
【請求項４】
前記遠端ＵＥのページング伝送情報から１つのターゲットページング伝送情報を選択することは、
前記中継ＵＥと予め定められた選択方式に基づいて、前記遠端ＵＥのページング伝送情報から１つのターゲットページング伝送情報を選択することを含む
ことを特徴とする請求項３に記載のメッセージ伝送方法。
【請求項５】
前記中継ＵＥと予め定められた選択方式に基づいて、前記遠端ＵＥのページング伝送情報から１つのターゲットページング伝送情報を選択することは、
前記遠端ＵＥのページング伝送情報から１つのページング伝送情報を前記ターゲットページング伝送情報としてランダムに選択することを含む
ことを特徴とする請求項４に記載のメッセージ伝送方法。
【請求項６】
中継ＵＥに応用されるメッセージ伝送方法であって、
基地局と遠端ＵＥとの間の中継装置である前記中継ＵＥのページング伝送情報と、遠端ＵＥのページング伝送情報とを含む２つのセットのページング伝送情報を取得することと、
前記２つのセットのページング伝送情報に基づいて、前記基地局により送信されたページングメッセージを受信することとを含み、
前記ページング伝送情報は、ページングメッセージの伝送位置を示す
ことを特徴とするメッセージ伝送方法。
【請求項７】
前記２つのセットのページング伝送情報に基づいて、前記基地局により送信されたページングメッセージを受信することは、
前記２つのセットのページング伝送情報によって示される全てのサブフレームをリッスンして、前記基地局により送信されたページングメッセージを受信することを含む
ことを特徴とする請求項６に記載のメッセージ伝送方法。
【請求項８】
前記遠端ＵＥのページング伝送情報は、複数のページング伝送情報を含み、
前記２つのセットのページング伝送情報に基づいて、前記基地局により送信されたページングメッセージを受信することは、
前記遠端ＵＥのページング伝送情報から１つのターゲットページング伝送情報を選択することと、
前記ターゲットページング伝送情報によって示されるサブフレームに基づいてリッスンを行って、前記基地局により送信されたページングメッセージを受信することとを含む
ことを特徴とする請求項６に記載のメッセージ伝送方法。
【請求項９】
前記遠端ＵＥのページング伝送情報から１つのターゲットページング伝送情報を選択することは、
前記基地局と予め定められた選択方式に基づいて、前記遠端ＵＥのページング伝送情報から１つのターゲットページング伝送情報を選択することを含む
ことを特徴とする請求項８に記載のメッセージ伝送方法。
【請求項１０】
前記基地局と予め定められた選択方式に基づいて、前記遠端ＵＥのページング伝送情報から１つのターゲットページング伝送情報を選択することは、
前記遠端ＵＥのＩＭＳＩに基づいて参照ページング伝送情報を算出することと、
前記遠端ＵＥのページング伝送情報から、前記参照ページング伝送情報に最も近い１つのページング伝送情報を前記ターゲットページング伝送情報として選択することとを含む
ことを特徴とする請求項９に記載のメッセージ伝送方法。
【請求項１１】
前記２つのセットのページング伝送情報を取得することは、
予め確定された前記遠端ＵＥのページング伝送情報を取得すること、
又は、
予め構成された構成パラメータに従って前記遠端ＵＥのページング伝送情報を算出すること、
又は、
予め構成された国際移動体加入者識別符号ＩＭＳＩから、前記遠端ＵＥのページング伝送情報を算出することを含む
ことを特徴とする請求項６〜１０のいずれか１項に記載のメッセージ伝送方法。
【請求項１２】
前記２つのセットの前記ページング伝送情報を取得する前に、前記方法は、さらに、
前記中継ＵＥが前記遠端ＵＥと接続を確立した後に、伝送モード変更シグナリングを基地局に送信することを含む
ことを特徴とする請求項６〜１０のいずれか１項に記載のメッセージ伝送方法。
【請求項１３】
前記ページング伝送情報は、ページング時刻及びページングフレームの情報を含む
ことを特徴とする請求項６に記載のメッセージ伝送方法。
【請求項１４】
基地局に応用されるメッセージ伝送装置であって、
請求項１〜５のいずれか１項に記載のメッセージ伝送方法を実行する
ことを特徴とするメッセージ伝送装置。
【請求項１５】
中継ＵＥに応用されるメッセージ伝送装置であって、
請求項６〜１３のいずれか１項に記載のメッセージ伝送方法を実行する
ことを特徴とするメッセージ伝送装置。
【国際調査報告】
2020519069.tif 000017
2020519069.tif 000018
2020519069.tif 000019
2020519069.tif 000020